(57)【要約】      （修正有）【課題】形態の異なる被検レンズに対するセンタリング機能と同期的な拡縮機能及びＸ軸方向のスライド移動と傾動機能、並びにＹ軸方向への移動機能を備えた多機能な枠型保持ユニットを具備して成る光学機器装置に関し、光学機器装置の低床化を果すと共に、Ｘ軸方向へのスライド操作並びに傾動操作、及びＹ軸方向の移動操作を可能にする多機能化された被検レンズの枠型保持ユニットを具備した光学機器装置を提供する。【解決手段】枠入れされた眼鏡レンズや丸レンズ等の被検レンズに対するＸ軸方向へのスライド自在なフレーム部材７及び、対称的に配置された保持アーム部材１１ａ，ｂ等から構成された枠型保持ユニットにおける保持アーム部材のセンタリング機能と同期的な拡縮機能を自動的に回避可能とする緩衝機能を設けて、Ｙ軸方向の移動操作を可能にする。【選択図】図４
2020101605.tif 000002
【特許請求の範囲】
【請求項１】
眼鏡フレームに枠入れされた眼鏡レンズ及び未加工の丸レンズを被検レンズとする共用
型の光学機器装置であって、当該光学機器本体の基部の所定の高さ位置または本体前面部
の所定の高さ位置において、Ｘ軸方向のガイド溝を有する取付ブラケットを光源または光
軸に対し左右方向となるＸ軸に沿って設置する一方、当該取付ブラケットのガイド溝に嵌
合するスライド支持軸を長手方向の中央付近に突設してなる枠型フレーム部材と、眼鏡フ
レーム受部及び丸レンズ受部が形成された保持パッド部を有する左右二組の保持アーム部
材により、枠型保持ユニットの骨格を構成し、当該枠型保持ユニットにおける保持アーム
部材は、上記枠型フレーム部材の枠型中心に対して対称的に配置され、左右の各組毎に保
持パッド部が互いに接近するようバネ付勢されてなるセンタリング機構及び、保持アーム
部材の基端におけるセクターギヤの噛み合いを介して、上記左右の保持パッド部相互の間
隔が同期的に拡縮操作自在な拡縮機構として構成されてなると共に、当該枠型保持ユニッ
トにより眼鏡フレームのテンプルを下方に向けたまま保持する一方、丸レンズも枠内中央
に夫々センタリング保持し、かつこれ等被検レンズを枠型保持ユニットごと、上記スライ
ド支持軸を介してガイド溝に沿ってＸ軸方向にスライド操作自在に、またガイド溝内の任
意位置において右方向または左方向に傾動操作自在に枠型保持ユニットの各機能が構成さ
れてなり、更に上記保持アーム部材により被検レンズを保持したまま、センタリング位置
から枠型フレーム部材の囲み枠内において、光軸に対し前後方向となるＹ軸方向へと、適
宜移動操作自在に構成してなる共用型の多機能式枠型保持ユニットを具備したことを特徴
とする光学機器装置。
【請求項２】
眼鏡フレームに枠入れされた眼鏡レンズ及び未加工の丸レンズを被検レンズとする共用
型の光学機器装置であって、当該光学機器本体の基部において、Ｘ軸方向のガイド溝を有
する取付ブラケットを光源または光軸に対する左右方向となるＸ軸に沿って設置する一方
、当該取付ブラケットのガイド溝に嵌合するスライド支持軸を長手方向の中央付近に突設
してなる枠型フレーム部材と、眼鏡フレーム受部及び丸レンズ受部が形成された保持パッ
ド部を有する左右二組の保持アーム部材により、枠型保持ユニットの骨格を構成し、当該
枠型保持ユニットにおける保持アーム部材は、上記枠型フレーム部材の枠型中心に対して
対称的に配置され、左右の各組毎に保持パッド部が互いに接近するようバネ付勢されてな
るセンタリング機構、及び保持アーム部材の基端におけるセクターギヤの噛み合いを介し
て、上記左右の保持パッド部相互の間隔が同期的に拡縮操作自在な拡縮機構として構成さ
れてなると共に、当該枠型保持ユニットにより眼鏡フレームのテンプルを上方に立ち上げ
たままの状態で保持する一方、丸レンズも枠内中央に夫々センタリング保持し、かつこれ
等被検レンズを枠型保持ユニットごと、上記スライド支持軸を介してガイド溝に沿ってＸ
軸方向にスライド操作自在に、またガイド溝内の任意位置において右方向または左方向に
傾動操作自在に枠型保持ユニットの各機能が構成されてなり、更に上記保持アーム部材に
より被検レンズを保持したまま、センタリング位置から枠型フレーム部材の囲み枠内にお
いて、光軸に対し前後方向となるＹ軸方向へと、適宜移動操作自在に構成してなる共用型
の多機能式枠型保持ユニットを具備したことを特徴とする光学機器装置。
【請求項３】
眼鏡フレームに枠入れされた眼鏡レンズまたは未加工の丸レンズを被検レンズとする専
用型の光学機器装置であって、当該光学機器本体の基部または本体前面部の所定の高さ位
置において、Ｘ軸方向のガイド溝を有する取付ブラケットを光源または光軸に対する左右
方向となるＸ軸に沿って設置する一方、当該取付ブラケットのガイド溝に嵌合するスライ
ド支持軸を長手方向中央位置に突設してなる枠型フレーム部材と、眼鏡フレーム受部また
は丸レンズ受部の何れか一方が形成された保持パッド部を有する左右二組の保持アーム部
材により、枠型保持ユニットの骨格を構成し、当該枠型保持ユニットにおける保持アーム
部材は、上記枠型フレーム部材の枠型中心に対して対称的に配置され、左右の各組毎に保
持パッド部が互いに接近するようバネ付勢されてなるセンタリング機構及び、保持アーム
部材の基端におけるセクターギヤの噛み合いを介して、上記左右の保持パッド部相互の間
隔が同期的に拡縮操作自在な拡縮機構として構成されてなると共に、当該枠型保持ユニッ
トにより眼鏡フレームのテンプルを上方或いは下方に向けたままの状態で保持し、または
丸レンズを枠内中央にセンタリング保持し、かつこれ等の被検レンズを枠型保持ユニット
ごと上記スライド支持軸を介しガイド溝に沿ってＸ軸方向にスライド操作自在に、またガ
イド溝内の任意位置において右方向または左方向に傾動操作自在に枠型保持ユニットの各
機能が構成されてなり、更に上記保持アーム部材により被検レンズを保持したまま、セン
タリング位置から枠型フレーム部材の囲み枠内において、光軸に対し前後方向となるＹ軸
方向へと、適宜移動操作自在に構成してなるところの、枠入れされた眼鏡レンズまたは未
加工の丸レンズの何れかに対応する専用型の多機能式枠型保持ユニットを具備したことを
特徴とする光学機器装置。
【請求項４】
上記請求項１項及び３項における光学機器装置が、眼鏡フレームに枠入れされた眼鏡レ
ンズ及びまたは加工前の丸レンズ等を被検レンズとし、これ等被検レンズの表面または裏
面を観察または検査するための光学機器装置であって、被検レンズの表面側から照射する
ための光源と、被検レンズに照射した光束を受光して撮像するための撮像手段からなる観
察光学系を内蔵した光学機器装置であることを特徴とするレンズチェッカー。
【請求項５】
上記請求項１項及び３項における光学機器装置が、眼鏡フレームに枠入れされた眼鏡レ
ンズ及びまたは加工前の丸レンズ等を被検レンズとし、これ等被検レンズの度数等の光学
特性を測定するための光学機器装置であって、被検レンズの表面側または裏面側から透射
するための光源と、被検レンズを透過した透過光束を受光して光学特性を測定する測定演
算手段からなる測定光学系を内蔵した光学機器装置であることを特徴とするレンズメータ
ー。
【請求項６】
上記請求項１項乃至５項記載の光学機器装置におけるＹ軸方向への移動操作と、所定の
位置でのロック保持操作を可能にするための機構の特徴として、枠型保持ユニットの枠型
フレーム部材に対照的に配置された左右二組の保持アーム部材によるセンタリング機構と
、基端のセクターギヤの噛合いによる同期的な拡縮機構の組合せ構造に関し、被検レンズ
を保持したまま、保持アーム部材によるＹ軸方向への移動操作を可能にするために、各組
の保持アーム部材における少なくとも一方の基端における枢軸において、セクターギヤの
噛合いを一時的に回避可能にすべく、枢軸の半径方向への変位を許容する緩衝機能を設け
ることにより、被検レンズを保持したまま、センタリング位置から枠型フレーム部材の囲
み枠内においてＹ軸方向へと適宜移動操作自在に構成されていると共に、これ等保持アー
ム部材の各組の少なくとも一方の保持アーム部材には、枠型フレーム部材に対するロック
ネジ手段を配備し、保持アーム部材の所望とするＹ軸方向の移動位置において、適宜ロッ
ク保持及び解除自在に構成してなる機構を具備したことを特徴とする請求項１項乃至５項
記載の光学機器装置。
【発明の詳細な説明】
【技術分野】
【０００１】
本発明は、眼鏡フレームに枠入れされた眼鏡レンズ並びに加工前の丸レンズ等の被検レ
ンズを機械的にセンタリング保持すると共に、殊に被検レンズを保持した状態においてＸ
軸方向及びＹ軸方向への平面的な移動操作と、光軸に対する左右方向への傾動操作を自在
に行うことを可能にしたユニット化された多機能式枠型保持機構に関し、当該枠型保持ユ
ニットを具備してなる光学機器装置に関する。
【背景技術】
【０００２】
眼鏡フレームに枠入れされた眼鏡レンズや枠入れ加工前の丸レンズについて、これ等の
被検レンズ表面のキズや汚れ、或いは隠しマーク等の観察または外観品質の検査をするた
めのレンズチェッカーや、これ等被検レンズの度数等の光学特性を測定するためのレンズ
メーターなどがこの種の光学分野において多用されているが、これ等の光学機器装置にお
いては、その被検レンズを載置するためのレンズ載置台を装置本体に突設しているのが一
般的である。
そのため殊に、眼鏡フレームに枠入れされた眼鏡レンズを被検レンズとする場合には、装
置の基台に突設したレンズ載置台に眼鏡レンズをセットする際に、眼鏡フレームにおける
眼鏡ヅル（テンプル）を下向きに垂下させた状態でレンズ載置台の載置面に眼鏡レンズが
当接するようにセットすることとなり、この眼鏡ヅル（テンプル）の長さに相当する寸法
以上の高さ位置において、レンズ載置面を設けるために必要な高さ寸法が決定されている
のが実情で、装置全体の高さ寸法が大きい装置となっていた。
然も、枠入れされた眼鏡レンズや未加工の丸レンズ等の形態の異なる被検レンズを、機械
的に保持するのではなく、作業者の人手により被検レンズをレンズ載置台に置いて保持し
ているのが一般的な実情であり、作業者の熟練を要するものであった。
【０００３】
そしてこの種の光学機器装置においては、被検レンズの形態の差異、即ち眼鏡フレームに枠入れされた眼鏡レンズか未加工の丸レンズかの種類に合わせて、夫々の被検レンズに対応する専用の保持機構を具備した光学機器装置を取り揃えている場合が一般的であり、そのため設備費用が嵩むことを避けられないのが実情であった。
また、これ等の光学機器装置を組立てる場合には、被検レンズの保持機構がユニット化されていないので、一台ごとに被検レンズの保持機構の構成部品を本体にバラで取付けて組み立てる如き作業手順を実行することとなり、組立作業性が悪いものであり、一方、被検レンズの保持機構について機能的に形態の異なる被検レンズに対応できて、その機械的保持と水平移動ができるものであっても、被検レンズに対する傾動操作機能がないので追加機能としての傾動保持はできない。
そのため殊に、追加機能として傾動保持操作ができ、然も被検レンズを保持した状態で光軸に対するＸ軸方向だけでなく、Ｙ軸方向への適度な移動操作も可能な多機能型のユニット化された保持機構を具備した光学装置の開発が望まれていた。
【先行技術文献】
【特許文献】
【０００４】
上記した如く、眼鏡フレームに枠入れされた眼鏡レンズ及び未加工の丸レンズ等を被検
レンズとしているこの種の光学機器装置であるレンズメーターの代表例としては、例えば
下記の特許文献１を参照して説明するに、モニターテレビ２を光学測定部３の上方に設け
てなる測定装置本体１の正面中央部には、光学測定部３を構成するために突出（膨出）さ
せられた上部収納部４と、その下方に対向させて突出（膨出）させられた下部収納部５が
設けられていると共に、下部収納部５の上面に突出固定された裁頭円錐筒状のレンズ受６
及び測定光学系１０が設けられ、未加工の被検レンズＬを測定する場合は、公報図面の図
３に示されている如き状態にて被検レンズの測定を行い、また、メガネ７０のメガネフレ
ーム７１に枠入れされた左右のレンズ７２、７３を測定する場合は、公報図面の図１３に
示す如く、作業者は、まずメガネフレーム７１における眼鏡ヅルを下方に垂下した状態に
左手８１で保持して鼻当７４、７４を鼻当支持部材３２に当接すると共に、メガネフレー
ム７１におけるレンズ７２、７３の下端を当接部材３１に向けて押し付け、測定側のレン
ズ７２を下部収納部５上面のレンズ受け６に当接させるよう人手により保持しつつ、右手
８０でレバー３６を回動操作して測定光軸に対する前後方向の位置を調整すると共に、左
右方向の位置調整は左手８１を左右に移動して調整する。
【０００５】
即ち、この先行特許文献１のレンズメーターでは、先にも述べたように、光学機器装置
本体の前面に突設された下部収納部５を利用して、メガネフレーム７１の眼鏡ヅル（テン
プル）部分が下方に垂れ下がっても影響のないように高さ方向の寸法を確保しているので、
その分装置本体１の高さ方向の大型化を伴うものであり、装置の低床化並びに小型化を図
る際の障害となりコンパクトにできなかった。
加えてこの先行文献のものは、被検レンズに対する機械的保持機構を具備していないので
、メガネフレーム７１を水平に保持することと、測定光軸に合わせて被検レンズ７２、７
３を前後左右に移動させて位置調整することについて、作業者は左右の両手８０、８１を
駆使して保持と調整と言う異なる操作を行わねばならないので、作業者は操作に対する熟
練を要求されるばかりでなく、位置合わせ精度の面においても正確性に劣ってしまうと言
う、光学機器装置としてみたときに致命的な欠陥を伴うものに過ぎなかった。
然も、形態の異なる被検レンズに対する保持機構は夫々別々のものであり、本発明の目的
としているところの機械的保持とユニット化並びに組立性等に関する複合的概念を開示す
るものではない。
【０００６】
また、この種の光学機器における被検レンズの機械的な保持機構に注目した場合、未加
工の丸レンズと眼鏡フレームに枠入れされた眼鏡レンズとの双方の被検レンズに対する機
械的な保持機構の代表的な先行事例として、例えば下記の特許文献２が知られているが、
この場合も先の先行特許文献１におけると同様に被検レンズ４を載置するためのレンズテ
ーブル５３２が張り出されて突設されている一方で、公報図面の第１２図に開示されてい
る如く、眼鏡フレームのレンズ枠ＦＲをハンド片６００、６０１の上面６０５ｃに載せて
テンプルＦＴ（眼鏡ヅル）が下方に向けられた状態のまま、ハンド片６００、６０１の外
側面６０５ｄにて眼鏡フレームの左右方向への位置を規制し、レンズテーブル５３２の上
面におけるレンズ受部材５４１に対して、眼鏡レンズ４を機械的に保持する構成のため、
前記先行特許文献１におけると同様に、装置の高さ方向の低床化とコンパクト化を果すこ
とができないものである。
【０００７】
そして、この先行例の特徴とするところは、公報図面の第７（Ａ）図乃至第１０（Ａ）
図に詳細に開示されている如く、被検レンズ４を保持するための左右一対の挟持用ハンド
５３０、５３１を支えるアーム５２６、５２７が交差構造（シザーズ機構）に組合わされ
ていると共に、これ等のハンドアーム５２６、５２７を開閉させて未成形の被検レンズ４
を挟持する駆動系としてのアームモーター５２２とタイミングベルト５２５が設けられ、
然もこれ等のアーム部材５２６、５２７、５３０、５３１を支えるアームベース５２０を
水平状態を保ったまま、Ｘ軸方向に移動させるための駆動系としてのＸ軸送りネジ５０８
ａとガイドレール５０８ｂ及びそのＸ軸モータ５０４と、これ等をフランジ５０３ａｂご
とＹ軸方向へ移動させるための駆動系としてのＹ軸送りネジ５０５とガイドレール５０７
及びそのＹ軸モータ５０２と、更にはこれ等をＺ軸テーブル５０１ごとＺ軸方向へ移動す
るためのＺ軸送りネジ５０５等を三次元的に複雑に組み合わせてなる被検レンズ保持装置
が開示されているが、これ等は機構が複雑であるばかりでなく、殊に傾動保持操作に関す
る機能を具備しておらず、然も丸レンズ４を保持するために必要な操作要領と、眼鏡フレ
ームＦＭを保持するために必要な操作要領に関し、これ等の操作を行うための、上記アー
ム部材に関係する各部品の動作要領が全く逆であるため、作業者による操作要領に混乱を
来すものであると共に、誤操作を防止する観点からみても好ましいものではなかった。
【０００８】
即ち、未成形の丸レンズ４を水平に保持する場合は、上記に述べたようにハンド５３０
、５３１の内側面６０５ａ、６０５ｂを互いに近接する方向に移動操作して未成形レンズ
４を挟持し保持するのに対し、眼鏡フレームＦＭを水平に保持する場合には、左右のハン
ド片６００、６０１の各上面６０５ｃにより左右の眼鏡フレームＦＭを受けると共に、左
右のハンド片６００、６０１の外側面６０５ｄを互いに離間する方向に移動操作し、眼鏡
フレームＦＭのテンプルＦＴを外側に広げるようにして保持するので、これ等の被検レン
ズの形態の違い基づく操作方向の違いにより、作業者に誤操作を招く恐れがあるばかりで
なく、同時に機械的な構成上の複雑さとも相俟って光学機器装置の操作性と操作精度に問
題を抱えたものに過ぎなかった。
然も、形態の異なる被検レンズに対する機械的な保持機構に注目して見た場合、その機構
が複雑で大掛かりであると共に組立性も悪く、更に本発明の目的としているところの被検
レンズの機械的保持とＸ軸方向並びに適度なＹ軸方向への移動操作、及び殊に傾動操作に
関するユニット化された多機能の概念等を開示するものではない。
【０００９】
【特許文献１】特開平８−２９２９２号公報
【特許文献２】特開昭６１−１２０９３９号公報
【発明の概要】
【発明が解決しようとする課題】
【００１０】
本件出願人は既に、眼鏡フレームに枠入れされた眼鏡レンズ及び未加工の丸レンズにつ
いて、これ等の被検レンズ表面のキズや汚れ、或いは隠しマーク等を観察するための（外
観品質検査も含む）レンズチェッカーまたは、これ等被検レンズの度数等の光学特性を測
定するためのレンズメーターなど、この種の光学分野における光学機器装置において、従
来一般的に多用されていた被検レンズのためのレンズ載置台に起因した前記先行特許文献
１及び２における如き、低床化を果せない不都合を解消するための発明についてその出願
（特願２０１８−１８１９５７号）をしており、本発明は更に当該先願発明における傾動
操作機能の他に、新たに枠型フレーム部材の囲み枠内において、被検レンズの光軸に対す
るＹ軸方向への移動操作機能を付加してなるユニット化された多機能式の枠型保持機構を
具備してなる光学機器装置を提供するためになされたものである。
【００１１】
従って、本発明においては、殊に、眼鏡フレームに枠入れされた眼鏡レンズを被検レン
ズとする場合においても、光学装置の低床化に有利となるように、従来の眼鏡フレームの
テンプルを下向きに垂下させるのに必要とされていた、テンプルの長さに相当する装置の
高さ寸法を低くすること、即ち装置の基台から上方に突設されたレンズ載置台に代わる全
く新しい眼鏡フレームの機械的な枠型保持機構として、前記先願発明におけると同様に、
眼鏡フレームに枠入れされた眼鏡レンズ及び未加工の丸レンズを被検レンズとし、これ等
を保持したままＸ軸方向（左右方向）へ正確に移動操作すると共に、左右方向への傾動操
作を自由に行うことができる必要な操作機能を予め備えていることは勿論である。
更にそれだけではなく、一般的にこの種の光学機器装置においては、被検レンズの異なる
形態ごとに、夫々対応する光学機器装置を取り揃えているのが通例であるが、光学機器を
個別に取り揃えることは設備費用が嵩むことになってしまうので、例えば、異なる形態の
被検レンズに対しても同一の光学機器装置により支障なく観察や測定をすることが可能な
所謂共用タイプの光学機器装置であることが望まれているが、この点についても本発明に
おいては、前記先願発明におけると同様に一台で異なる形態の被検レンズに対応できるの
で、光学に関する個別の機能を有するレンズチェッカーまたはレンズメーター等の光学機
器装置の低床化及びコンパクト化を図ると言う技術的解決課題を果すことができると共に
、安価な装置を提供することである。
なお、当然のことながら、形態の異なる被検レンズの何れにも対応可能な共用型に代えて
、被検レンズの何れか一方に対応する専用のユニット化された多機能式枠型保持機構とし
て枠型保持ユニットを具備した場合には、必要に応じ所謂専用タイプの光学機器装置とし
て提供することができるものである。
【００１２】
そして、本発明における重要な課題は、この種の光学機器装置に求められる機能として
、前記先願発明におけるような被検レンズのセンタリング保持機能と同期的な操作機能を
具備していると共に、光学的機能にかかわるＸ軸方向へのスライド操作機能や、被検レン
ズの左右方向への傾動操作機能に加えて、更に被検レンズを保持した状態のまま枠型フレ
ーム部材の囲み枠内におけるＹ軸方向への移動操作機能を設けて、対象とする被検レンズ
の観察または測定部位について、光軸中心部付近とＸ軸方向側の部位に限ることなく、被
検レンズのＹ軸方向の周辺側部位における隠しマークや文字、或いはキズ等の観察までも
可能にし、更に被検レンズの外形形状の違いや寸法サイズ等の違いにも対応可能なように
すべく、被検レンズのＹ軸方向への移動操作を自在に行うことができる、所謂多機能な操
作が可能な被検レンズの機械的保持ユニットを提案し、光学機器装置における操作性と機
能性を向上させることができ、然も小型で低床化することも可能であると共に、光学機器
としての精度と操作性に優れたレンズチェッカーまたはレンズメーターを安価に提供する
ことにある。
【課題を解決するための手段】
【００１３】
本発明における主たる特徴は、従来の光学装置におけるような被検レンズの載置台に依
存しないことを特徴とし、眼鏡フレームに枠入れされた眼鏡レンズ及び未加工の丸レンズ
を被検レンズとする共用型の光学機器装置であって、当該光学機器本体の基部の所定の高
さ位置または本体前面部の所定の高さ位置において、Ｘ軸方向のガイド溝を有する取付ブ
ラケットを光源または光軸に対し左右方向となるＸ軸に沿って設置する一方、当該取付ブ
ラケットのガイド溝に嵌合するスライド支持軸を長手方向の中央付近に突設してなる枠型フ
レーム部材と、眼鏡フレーム受部及び丸レンズ受部が形成された保持パッド部を有する左
右二組の保持アーム部材により、枠型保持ユニットの骨格を構成し、当該枠型保持ユニッ
トにおける保持アーム部材は、上記枠型フレーム部材の枠型中心に対して対称的に配置さ
れ、左右の各組毎に保持パッド部が互いに接近するようバネ付勢されてなるセンタリング
機構、及び保持アーム部材の基端におけるセクターギヤの噛み合いを介して、上記左右の
保持パッド部相互の間隔が同期的に拡縮操作自在な拡縮機構として構成されてなると共に
、当該枠型保持ユニットにより眼鏡フレームのテンプルを下方に向けたまま保持する一方
、丸レンズも枠内中央に夫々センタリング保持し、かつこれ等の被検レンズを枠型保持ユ
ニットごと、上記スライド支持軸を介してガイド溝に沿ってＸ軸方向にスライド操作自在
に、またガイド溝内の任意位置において右方向または左方向に傾動操作自在に枠型保持ユ
ニットの各機能が構成されてなり、更に上記保持アーム部材により被検レンズを保持した
まま、センタリング位置から枠型フレーム部材の囲み枠内において、光軸に対し前後方向
となるＹ軸方向へと、適宜移動操作自在に構成してなる共用型の多機能式枠型保持ユニッ
トを具備したことを特徴とするものである。
【００１４】
本発明における次なる特徴は、従来の光学装置におけるような被検レンズの載置台を廃
止することができるよう、眼鏡フレームに枠入れされた眼鏡レンズ及び未加工の丸レンズ
を被検レンズとする共用形の光学機器装置であって、当該光学機器本体の基部において、
Ｘ軸方向のガイド溝を有する取付ブラケットを光源または光軸に対し左右方向となるＸ軸
に沿って設置する一方、当該取付ブラケットのガイド溝に嵌合するスライド支持軸を長手
方向の中央付近に突設してなる枠型フレーム部材と、眼鏡フレーム受部及び丸レンズ受部
が形成された保持パッド部を有する左右二組の保持アーム部材により、枠型保持ユニット
の骨格を構成し、当該枠型保持ユニットにおける保持アーム部材は、上記枠型フレーム部
材の枠型中心に対して対称的に配置され、左右の各組毎に保持パッド部が互いに接近する
ようバネ付勢されてなるセンタリング機構、及び保持アーム部材の基端におけるセクター
ギヤの噛み合いを介して、上記左右の保持パッド部相互の間隔が同期的に拡縮操作自在な
拡縮機構として構成されてなると共に、当該枠型保持ユニットにより眼鏡フレームのテン
プルを上方に立ち上げたままの状態で保持する一方、丸レンズも枠内中央に夫々センタリ
ング保持し、かつこれ等の被検レンズを枠型保持ユニットごと、上記スライド支持軸を介
してガイド溝に沿ってＸ軸方向にスライド操作自在に、またガイド溝内の任意位置におい
て右方向または左方向に傾動操作自在に枠型保持ユニットの各機能が構成されてなり、更
に上記保持アーム部材により被検レンズを保持したまま、センタリング位置から枠型フレ
ーム部材の囲み枠内において、光軸に対し前後方向となるＹ軸方向へと、適宜移動操作自
在に構成してなる共用型の多機能式枠型保持ユニットを具備したことを特徴とするもので
ある。
【００１５】
そして、本発明における上記光学機器装置のバリエーションとして、眼鏡フレームに枠
入れされた眼鏡レンズまたは未加工の丸レンズを被検レンズとする専用型の光学機器装置
であって、当該光学機器本体の基部または本体前面部の所定の高さ位置において、Ｘ軸方
向のガイド溝を有する取付ブラケットを光源または光軸に対する左右方向となるＸ軸に沿
って設置する一方、当該取付ブラケットのガイド溝に嵌合するスライド支持軸を長手方向
の中央付近に突設してなる枠型フレーム部材と、眼鏡フレーム受部または丸レンズ受部の
何れか一方が形成された保持パッド部を有する左右二組の保持アーム部材により、枠型保
持ユニットの骨格を構成し、当該枠型保持ユニットにおける保持アーム部材は、上記枠型
フレーム部材の枠型中心に対して対称的に配置され、左右の各組毎に保持パッド部が互い
に接近するようバネ付勢されてなるセンタリング機構、及び保持アーム部材の基端におけ
るセクターギヤの噛み合いを介して、上記左右の保持パッド部相互の間隔が同期的に拡縮
操作自在な拡縮機構として構成されてなると共に、当該枠型保持ユニットにより眼鏡フレ
ームのテンプルを上方或いは下方に向けたままの状態で保持し、または丸レンズを枠内中
央にセンタリング保持し、かつこれ等の被検レンズを枠型保持ユニットごと、上記スライ
ド支持軸を介してガイド溝に沿ってＸ軸方向にライド操作自在に、またガイド溝内の任意
位置において右方向または左方向に傾動操作自在に枠型保持ユニットの各機能が構成され
てなり、更に上記保持アーム部材により被検レンズを保持したまま、センタリング位置か
ら枠型フレーム部材の囲み枠内において、光軸に対し前後方向となるＹ軸方向へと、適宜
移動操作自在に構成してなるところの、枠入れされた眼鏡レンズまたは未加工の丸レンズ
の何れかに対応する専用型の多機能式枠型保持ユニットを具備したことを特徴とするもの
である。
【００１６】
更に、本発明においては、その光学機器装置が眼鏡フレームに枠入れされた眼鏡レンズ
及びまたは加工前の丸レンズ等を被検レンズとし、これ等被検レンズの表面または裏面を
観察または検査するための光学機器装置（所謂レンズチェッカー）であって、被検レンズ
の表面側から照射するための光源と、被検レンズに照射した光束を受光して撮像するため
の撮像手段からなる観察光学系を内蔵した光学機器装置本体に対し、被検レンズの枠型保
持ユニットが、スライド支持軸を介して光学機器本体の取付けブラケットに装着され、更
に上記枠型保持ユニットにおいて、その保持アーム部材により被検レンズを保持したまま
、Ｘ軸方向へのスライド移動操作及び左右の傾動操作に加え、センタリング位置から枠型
フレーム部材の囲み枠内においてＹ軸方向へと、適宜移動操作自在に構成されてなること
を特徴とするものである。
【００１７】
また更に、本発明においては、その光学機器装置が眼鏡フレームに枠入れされた眼鏡レ
ンズ及びまたは加工前の丸レンズ等を被検レンズとし、これ等被検レンズの度数等の光学
特性を測定するための光学機器装置（所謂レンズメーター）であって、被検レンズの表面
側または裏面側から透過するための光源と、被検レンズを透過した透過光束を受光して光
学特性を測定する測定演算手段からなる測定光学系を内蔵した光学機器装置本体に対し、
被検レンズの枠型保持ユニットが、スライド支持軸を介して光学機器本体の取付けブラケ
ットに装着され、更に上記枠型保持ユニットにおいて、その保持アーム部材により被検レ
ンズを保持したまま、Ｘ軸方向へのスライド移動操作及び左右の傾動操作に加え、センタ
リング位置から枠型フレーム部材の囲み枠内においてＹ軸方向へと、適宜移動操作自在に
構成されてなることを特徴とするものである。
【００１８】
なお、本発明においては、特にその光学機器装置におけるＹ軸方向への移動操作と所定
位置でのロック保持操作を可能にするための特別な機構として、枠型保持ユニットの枠型
フレーム部材に対照的に配置された左右二組の保持アーム部材によるセンタリング機構と
、基端のセクターギヤの噛合いによる同期的な拡縮機構の組合せ構造に関し、被検レンズ
を保持したまま、保持アーム部材によるＹ軸方向への移動操作を可能にするために、各組
の保持アーム部材における少なくとも一方の基端における枢軸において、セクターギヤの
噛合いを一時的に回避可能にすべく、枢軸の半径方向への変位を許容する緩衝機構を設け
ることにより、被検レンズを保持したまま、センタリング位置から枠型フレーム部材の囲
み枠内においてＹ軸方向へと適宜移動操作自在に構成されていると共に、これ等保持アー
ム部材の各組の少なくとも一方の保持アーム部材には、枠型フレーム部材に対するロック
ネジ手段を配備し、保持アーム部材の所望とするＹ軸方向の移動位置において、適宜ロッ
ク保持及び解除自在に構成してなる機構を具備していることを特徴とするものである。
【発明の効果】
【００１９】
本発明は、従来の光学機器装置において汎用されているような被検レンズの載置台に依
存することなく、機械的に被検レンズを保持することができる枠型保持ユニットを具備し
ているので、前記した先願発明（特願２０１８−１８１９５７号）におけると同様に、光
学機器装置の低床化と小型コンパクト化を確実に果たすことができると共に、被検レンズ
を機械的にセンタリング保持してＸ軸方向へのスライド移動と、スライドさせた任意の位
置において適宜に左右方向への傾動操作もできるので、被検レンズの移動に関する操作性
の向上を図れるばかりでなく、その操作と移動に関する安定した精度を得ることができて
、光学機器としての信頼性の高いものを提供できる優れた効果を発揮できることは勿論で
ある。
なお、被検レンズを保持する枠型保持ユニットが、光学機器装置本体の基部の所定の高さ
位置または本体前面部の所定の高さ位置において、ガイド溝付きの取付ブラケットを介し
てＸ軸方向にスライド操作自在に取付けられ、殊に枠入れされた眼鏡フレームのテンプル
を下方に向けて保持可能にした場合には、先願発明におけると同様な光学機器装置の低床
化とコンパクト化は果たせないまでも、少なくとも枠型保持ユニットの採用により、その
他のユニット化及び多機能化による作用効果を享受できるものである。
【００２０】
即ち、本発明における光学機器装置は、当該光学機器本体の基部において、Ｘ軸方向の
ガイド溝を有する取付ブラケットを光源または光軸に対する左右方向Ｘ軸に沿って設置す
る際の構成要件として、当該取付ブラケットにおけるガイド溝の形成位置に関し、所定の
高さ位置、換言すれば、眼鏡フレームにおけるテンプルの長さ寸法に相当する高さ方向の
寸法を確保するための所定の高さ位置、或いは、当該高さ寸法位置を確保する必要のない
保持状態とする場合の低い位置に、それぞれ必要に応じて取付ブラケットにおけるＸ軸方
向のガイド溝を設定することができるので、この後者の如き低い取付ブラケットのガイド
溝に嵌合するよう、スライド支持軸を長手方向の中央付近に突設してなる枠型フレーム部
材と、眼鏡フレーム受部及び丸レンズ受部の双方が形成された保持パッド部を有する左右
二組の保持アーム部材により、枠型保持ユニットの骨格を構成し、当該枠型保持ユニット
における保持アーム部材は、上記枠型フレーム部材の枠型中心に対して対称的に配置され
て左右の各組毎に保持パッド部が互いに接近するようバネ付勢されてなるセンタリング機
構、及び保持アーム部材の基端におけるセクターギヤの噛み合いを介して、上記左右の保
持パッド部相互の間隔が同期的に拡縮操作自在な拡縮機構として構成されてなると共に、
当該枠型保持ユニットにより眼鏡フレームのテンプルを上方に立ち上げたままの状態で保
持する一方、丸レンズも枠内中央に夫々センタリング保持し、かつこれ等の被検レンズを
枠型保持ユニットごと、上記スライド支持軸を介してガイド溝に沿ってＸ軸方向にスライ
ド操作自在に、またガイド溝内の任意位置において右方向または左方向に傾動操作自在に
枠型保持ユニットの各機能が構成されているので、上記した如き光学機器装置の低床化を
果し、かつその操作性と精度等の信頼性に優れた効果を発揮できるのである。
【００２１】
その結果、スライド支持軸を取付けブラケットのガイド溝に嵌合したままの使用状態に
おいては、スライド支持軸の基端に設けられた操作摘みを手動で適宜操作することにより
、枠型フレーム部材に保持された眼鏡フレームの眼鏡レンズや未加工の丸レンズを、枠型
フレーム部材ごとＸ軸方向にスライド操作することができる事は勿論のこと、保持された
被検レンズを枠型フレーム部材ごと必要に応じて上記操作摘みを左回転または右回転操作
することにより（或いは、操作摘みによることなく枠型フレーム部材を直接的にスライド
支持軸のフリクションに抗して操作しても良い）、左右に傾動操作することができるので例
えば、被検レンズがハイカーブレンズや曲率の大きな丸レンズのような場合でも、光軸に
対する面直状態を調整することができ、或いは観察や測定のし易い状態に被検レンズを傾
けて見ることができるなど、優れた操作性と精度を備えた光学機器装置を、前記した先願
発明におけると同様に提供することができるのであり、実用的にも優れた有用で特殊な効
果を発揮できるものである。
【００２２】
また、本発明における枠型保持ユニットにおいては、前記した先願発明におけると同様
に、枠型保持ユニットにおける保持アーム部材が、枠型フレーム部材の枠型中心に対して
対称的に配置されていて、その左右の各組毎に保持アーム部材が互いに接近するようバネ
付勢されてなるセンタリング機構及び、保持アーム部材の基端におけるセクターギヤの噛
み合いを介して、上記左右の保持アーム部材相互の間隔が同期的に拡縮操作自在な拡縮機
構として構成されているので、被検レンズの光学中心と光軸がセンタリング機構により略
一致するように保持されて便利である他、被検レンズをセットする際に、左右の保持アー
ム部材が相互に同期的に拡縮操作自在であるので、被検レンズのセッティング操作を容易
に行うことができ、操作性に優れた効果を有するものである。
然も、枠型フレーム部材の囲み枠内には、基本的に上記二組の保持パッド部付きの保持アーム部材以外の機械的構成部品が存在していないため、必要な光学的観察または測定範囲は確保された光学機器装置とすることができるものであることは、言うまでもない。
【００２３】
因みに、これ等の機能的に優れた被検レンズの枠型保持ユニットを、上記スライド支持
軸に仕掛けたバネ手段等による着脱機構を設けること等により、仮にワンタッチで光学機
器装置の取付けブラケットに装着自在に構成した場合には、光学機器装置を組立てる上で
の生産効率の向上を図れる他、必要に応じて枠型保持ユニット自体を取り外して交換でき
るので、光学機器装置において対象とする被検レンズの形態を容易に変更することも可能
であり、光学機器装置として被検レンズの形態、即ち枠入れされた眼鏡レンズ専用の、ま
たは未加工の丸レンズ専用の、またはこれ等の共用の光学装置、或いは形レンズ用の光学
装置として、夫々顧客の要望に容易に対応し提供できる効果を併せて発揮させることがで
きるようにすることも可能であることを付言しておく。
更に、本発明の枠型保持ユニットにより、眼鏡フレームのテンプルを上方に立ち上げた状
態のまま保持するよう構成した場合には、光学機器装置の小型低床化を果せることは前述
の通りである。
【００２４】
そして殊に本発明において特徴とすべき枠型保持ユニットの優れた点は、以上に説明し
てきたＸ軸方向移動と左右方向の傾動操作機能に加え、本発明の枠型保持ユニットにかか
わる特殊機能として、当該枠型保持ユニットの保持アーム部材により被検レンズを保持し
たまま、センタリング位置から枠型フレーム部材の囲み枠内において、光軸に対し前後方
向となるＹ軸方向へと、適宜移動操作自在に構成してなることを特徴とするので、今まで
のＸ軸方向のスライド機能と左右方向の傾動機能に加えて、Ｙ軸方向への任意の移動調整
操作もできるため、被検レンズの光軸合せのための精度の向上を更に果すことができる優
れた効果を発揮することができるばかりでなく、被検レンズをＹ軸方向に適宜移動させた
部位における被検レンズ表面または裏面の観察や、測定部位のＹ軸方向へのセット変更な
どを容易に操作することができ、観察及び測定精度に優れた光学機器装置を提供できるの
である。
更に、本発明においては、被検レンズとしての眼鏡レンズのフレーム形状の違いや、丸レ
ンズの直径サイズの違い、或いは形レンズの違い等に基因する被検レンズ中心位置の違い
にも対応できると共に、被検レンズの目的とする周辺側の部位への移動とセッティング操
作を自由に行え、操作性と精度に優れた効果を発揮することができるものである。
【００２５】
然も、本発明においては、特にその光学機器装置におけるＹ軸方向への移動操作と所定
位置でのロック保持操作を可能にするための機構の特徴として、枠型保持ユニットの枠型
フレーム部材に対照的に配置された左右二組の保持アーム部材によるセンタリング機構と
、基端のセクターギヤの噛合いによる同期的な拡縮機構の組合せ構造に関し、被検レンズ
を保持したまま、保持アーム部材によるＹ軸方向への移動操作を可能にするために、各組
の保持アーム部材における少なくとも一方の基端における枢軸において、セクターギヤの
噛合いを一時的に回避可能にすべく、枢軸の半径方向への変位を許容する簡単な緩衝機構
を設けることにより、被検レンズを保持アーム部材で保持したまま、センタリング位置か
ら枠型フレーム部材の囲み枠内においてＹ軸方向へと適宜移動操作自在に構成されている
と共に、これ等保持アーム部材の各組の少なくとも一方の保持アーム部材には、枠型フレ
ーム部材に対するロックネジ手段を配備し、これにより保持アーム部材の所望とするＹ軸
方向の移動位置において、適宜ロック保持及び解除自在に構成してなる機構を具備したこ
とを特徴とするので、被検レンズを所定の光軸関係を保って所望の保持状態に容易にロッ
ク保持することができ、その後の光学機器装置の操作に関して作業者は両手を自由に使う
ことが可能となり、本来の多機能による作用効果と相俟って、操作性に優れた実用的にも
優れた光学機器装置を提供することができるものである。
【００２６】
なお、本発明にかかる光学機器装置としては、光源に対向して配置された受光側の光学
系手段を一体的に備えたレンズチェッカーやレンズメーターの他に、例えば受光側光学系
手段を持たない直接的な目視観察型のレンズチェッカー等、何れの形式であっても拘束さ
れることはなく、その光学機器本体の基台において、Ｘ軸方向のガイド溝を有する取付け
ブラケットさえあれば、このガイド溝に嵌合してスライドすると共に、着脱機構を具備し
てなるスライド支持軸を組合わせるだけで、容易に本発明における被検レンズの枠型保持
ユニットを採用し実施することができることは勿論である。
また、以上に述べた本発明において用いる被検レンズの枠型保持ユニットは、光学機器装
置本体に内蔵された光学系の違いにより、例えば被検レンズの観察光学系を備えた装置に
具備することによる具体的な光学機器として、小型コンパクトで精度と操作性の良い生産
性に優れたレンズチェッカーを提供することができ、一方、装置本体内に被検レンズの測
定光学系を備えた装置に具備させた場合における具体的な光学機器としては、小型コンパ
クトで測定精度と操作性の良い生産性に優れたレンズメーターを提供することができるの
であり、その光学機器装置としての操作性においても、機械的なセンタリング保持効果と
操作精度が向上されることは勿論、光学機器装置として観察精度及び測定精度の優れた装
置とすることができることは言うまでもない。
然も、装置全体としての構成上も、本発明にかかる枠型保持ユニットの採用により、汎用
性のある装置として光学器機装置を廉価に構成できるので、経済性にも実用性にも秀でた
多機能な装置を提供できるのである。
【図面の簡単な説明】
【００２７】
【図１】図１は、眼鏡フレームを保持した本発明にかかる枠型保持ユニットを採用してなるレンズチェッカーまたはレンズメーターの外観図である。
【図２】図２は、本発明にかかる枠型保持ユニット部分の説明用斜視図。
【図３】図３は、本発明にかかる枠型保持ユニット部分の説明図でＹ軸方向へ移動した時の説明用平面図。
【図４】図４は、図３に対応する枠型保持ユニット部分の説明用背面図。
【図５】図５は、本発明にかかる枠型保持ユニットにおけるＹ軸方向へのシフト移動操作を可能にする緩衝機能の代表的な事例を採用した枢軸部分の説明用拡大図。
【図６】図６は、本発明にかかる枠型保持ユニット部分の説明図で図３と逆のＹ軸方向へ移動したときの説明用平面図。
【図７】図７は、未加工の丸レンズを保持した本発明にかかる枠型保持ユニットを採用してなるレンズチェッカーまたはレンズメーターの外観図である。
【図８】図８は、眼鏡フレームを図１とは異なる保持状態で保持した場合の本発明にかかる枠型保持ユニットを採用してなるレンズチェッカーまたはレンズメーターの外観図である。
【発明を実施するための形態】
【００２８】
本発明の実施例について、光学機器装置としてレンズチェッカーまたはレンズメーター
への適用事例を示した図１と、図２乃至図６に示した被検レンズの枠型保持機構としての
枠型保持ユニット１部分の事例を参照しつつ、以下その技術的な構成と作動要領などにつ
いて説明することとする。
図１は、光学機器装置として照明用光源３と、この光源３に対して対向配置された受光側
の撮像手段４からなる所謂観察光学系を具備してなる装置本体部２ａの基台２ｂ上におい
て、本発明にかかる眼鏡レンズ及び丸レンズ等を被検レンズとする枠型保持ユニット１を
装着して構成されたレンズチェッカーの全体構成を表す説明用斜視図であり、この枠型保
持ユニット１の基本的な構成は、図２にそのユニット部分を示す斜視図からも明らかであ
るが、装置全体としての構成は装置本体部２ａの基台２ｂにおける中央の光源３における
円筒状部分に対し、その光源３を挟むようにＸ軸方向のガイド溝５ａ、６ａを有する取付
ブラケット５、６を対向的に配置して取付、当該取付ブラケット５、６に対して、そのガ
イド溝５ａ、６ａの各々に着脱自在に嵌合するスライド支持軸７ａ、７ｂを略矩形の長手
方向の中央付近に突設した枠型フレーム部材７と、当該枠型フレーム部材７に対し対称的
に枢着配置された左右二組のペアリングされた保持アーム部材１１ａ及び１１ｂにより枠
型保持ユニット１の骨格を構成し、後者の保持アーム部材１１ａ及び１１ｂの先端部には
、形態の異なる被検レンズ用として夫々上下二段に眼鏡フレーム受部８ａと丸レンズ受部
９ａが側面に形成された保持パッド部材１０ａ、１０ｂ及び１０ｃ、１０ｄを設け、これ
等左右の各ペアリングされた組毎に保持パッド部１０ａ、１０ｂ及び１０ｃ、１０ｄが後
述するように夫々枠型フレーム部材７の囲み枠内の中央に向けて互いに接近するようバネ
付勢されたセンタリング機構として機能し、更に当該センタリング機構としての各ペアリ
ングされた保持アーム部材１１ａ及び１１ｂは、その基端において回動自在に各々枢軸１
２ａ及び１２ｂにより枢着（図２等参照）され、上記左右の保持パッド部１０ａ、１０ｂ
及び１０ｃ、１０ｄ相互の間隔を適宜同期的に拡縮操作自在に構成されている。
【００２９】
なお、図示実施例における保持パッド部材１０ａ、１０ｂ及び１０ｃ、１０ｄは、所謂
被検レンズの共用タイプのものであるので、その先端部には、眼鏡フレーム受部８ａと丸
レンズ受部９ａが側面に形成されているが、光学機器装置本体を眼鏡フレーム用または丸
レンズ及び形レンズ用の何れか一方の専用機として構成することもでき、その場合は眼鏡
フレーム受部８ａまたは丸レンズ受部９ａの何れか一方を形成すればよく、或いは本実施
例の様な共用タイプであっても、形態の異なる夫々の被検レンズ用としても使用すること
ができることは勿論である。
また、枠型フレーム部材７の全体形状は、図示したような略矩形に限らずＣ型やコの字型
であっても構わないが、この場合の枠型フレーム部材７を摺動自在に支える取付ブラケッ
ト５、６の配置は、光源３を挟んでその円筒状の部分に対向的に設けた事例を例示したが、これに限られることなく、例えば光源３の円筒状部分の片側に対して左右方向Ｘ軸に沿って設け、上記枠型フレーム部材７を片持ち支持状態に保持するよう構成してもよく、或いは光源３の円筒状部分を利用することなく、基台２ｂに直接的に取付けても良い。
【００３０】
そしてこの枠型保持ユニット１により図１に示す如く、眼鏡フレームのテンプルＭＴを
上方に立ち上げた状態で保持する一方、図７に一例を示す如く、未加工の丸レンズＳＬも
枠型フレーム部材７の囲み枠内中央の光軸に合わせて夫々機械的にセンタリング保持する
よう構成すると共に、光学機器装置における光軸に対し交叉する平面内において、これ等
の眼鏡フレームに枠入れされた眼鏡レンズＭＬ及び未加工の丸レンズＳＬ等の何れの形態
の被検レンズであっても確実に機械的に保持し、然も枠型フレーム部材７のスライド操作
により、被検レンズと光軸を最適な光学関係にすべく適宜Ｘ軸方向にスライド操作するこ
とができるよう構成されてなるものである。
なお、眼鏡フレームを保持する場合、例えば図１及び図２に一例を示す如く眼鏡フレーム
のノーズパッドＮＰに対するノーズバッド鼻当部材１３を用いることにより、眼鏡レンズ
ＭＬにおける視線と光軸との関係を合わせるように左右の保持パッド部１０ａ、１０ｂ及
び１０ｃ、１０ｄにおける各眼鏡フレーム受部８ａにより保持することができて便利であ
る一方、図７に示す如く丸レンズＳＬを枠型フレーム部材７の内側中央に保持する際には
、上記鼻当部材１３が光軸の妨げにならないようにこれを退避操作自在に構成されている
のが好ましい。
【００３１】
また上記本発明にかかる枠型保持ユニット１における特徴的な構成は、図示実施例にお
いては、略矩形の枠型フレーム部材７が、基台２ｂ上に対向設置されているＸ軸方向のガ
イド溝５ａ、６ａを有する取付ブラケット５、６に対して、そのガイド溝５ａ、６ａと自
身の長手方向中央部に突設されたスライド支持軸７ａ、７ｂが互いに装着嵌合手段となっ
て取付けられ、適度な締付力の下に嵌合保持され、かつ人為的にＸ軸方向にスライド移動
操作自在に組合せてあり、このスライド支持軸７ａ、７ｂにおける形状は、例えば一例と
して、枠型フレーム部材７に対する軸線回りの相対的な回転を規制する面取り部（図示せ
ず）を有すると共に、少なくとも一方の取付ブラケット５のガイド溝５ａに対して摺動可
能に適当なバネ力の下に突出嵌合する一方、スライド支持軸７ａの端部に螺着してなる操
作摘み１５をバネ力に抗して軸方向に後退移動させてガイド溝５ａとの装着嵌合状態を解
除し、枠型保持ユニット１を基台２ｂから取り外すことができるようにされているのが望
ましく、これ等の構成により、取付ブラケット５、６のガイド溝５ａ、６ａとスライド支
持軸７ａ、７ｂとの間には、枠型フレーム部材７の略水平状態を維持するのに適当なフリ
クション保持状態とともに、人為的にスライド移動可能な嵌合状態が得られるように構成
されている。
また、スライド支持軸７ａの基端に設けた操作摘み１５を左方向または右方向に回動操作
することにより、被検レンズを枠型保持ユニット１ごと左右に適宜傾動操作自在に構成す
ると共に、かかる操作摘み１５を更に締め込み操作することにより上記フリクションを増
大させて、枠型フレーム部材７を所望とする傾動状態に一時的に保持することができるよ
う構成されているのである。
【００３２】
叙上のように、スライド支持軸７ａ、７ｂは、着脱機能部品であると共にスライド並び
に傾動機能部品、及びフリクション伝達部品などとしての複合機能部品であり、操作摘み
１５についても同様に、スライド並びに傾動操作及び着脱操作とフリクション保持操作用
としての複合機能部品である。
なお、スライド支持軸７ａにおける上記着脱機能は、対向するスライド軸７ｂ側にも設け
ても良いが、図示実施例の如く一方のスライド軸７ａ側に設けることとし、他方のスライ
ド軸７ｂにおいては、取付ブラケット６のガイド溝６ａに対して単に嵌合するだけの構造
を採用してもよく、或いは、一方のスライド支持軸７ａのみによる枠型フレーム部材７の
片持ち支持構造を採用することもできる等、何れの構造を採用するかは必要に応じて当業
者が自由になし得るところである。
【００３３】
更に本発明においては、このようにスライド支持軸７ａ、７ｂの自由な回転運動が規制
されながらガイド溝５ａ、６ａに案内されてスライド移動操作可能にする一方、必要に応
じてガイド溝５ａ、５ｂの任意の移動位置において、スライド支持軸７ａ、７ｂを人為的
に右回転或いは左回転操作するための操作摘み１５を設けてあるので、被検レンズを保持
パッド部１０ａ、１０ｂ及び１０ｃ、１０ｄにより保持したまま枠型フレーム部材７ごと
左右方向に適宜傾動操作自在に構成されており、然も上記の操作摘み１５を対応する一方
の取付ブラケット５に対し、例えば捩じり操作して締め付けることなどにより、所望とす
るスライド位置において所望の傾動状態にロック保持することができるようにも構成する
ことができ、こうした傾動機構により、被検レンズが例えばハイカーブレンズや、曲率の
大きな曲面をもつ丸レンズ等の場合であっても、光軸に対し面直状態に略合わせことがで
きる機能を容易に得ることが可能なため、この様な被検レンズ表面の観察や測定機能を精
度よく確実に果すことができるのである。
なお、上記取付ブラケット５、６のガイド溝５ａ、６ａに対するスライド支持軸７ａ、７
ｂの嵌合関係により、枠型フレーム部材７が略水平状態に保持される一実施例を例示した
が、正確な水平状態を維持したい場合には、図示してないが、スライド支持軸７ａ、７ｂ
の少なくとも何れか一方に対して可撓性のある水平保持バネを必要に応じて設けることに
より目的を果たすことができ、それは当業者ならば極めて容易に実施することができると
共に任意である。
【００３４】
そして本発明にかかる被検レンズの枠型保持ユニット１においては、その枠型フレーム
部材７に対して左右対照的に二組のペアリングされた保持アーム部材１１ａ及び１１ｂが
夫々枢軸１２ａ及び１２ｂを介して回動自在に枢着されていると共に、これ等の保持アー
ム部材１１ａ及び１１ｂは、その先端に形成されている保持パッド部１０ａ、１０ｂ及び
１０ｃ、１０ｄがその各組毎に枠型フレーム部材７の内側中央に向けて互いに接近するよ
う、例えば、図４に示す如く、枠型フレーム部材７における枠型中心に対して対称的な四
箇所に配置したバネ軸１６ａと、このバネ軸１６ａに夫々装着されて左右のペアリングさ
れた保持アーム部材１１ａ及び１１ｂを枠型フレーム部材７の枠の内側に向けて付勢する
ためのセンタリングバネ１６ｂ、１６ｂ及び、１６ｂ、１６ｂを設けると共に、上記左右
一対の保持アーム部材１１ａ及び１１ｂの稼動範囲を規制するための手段として、枠型フ
レーム部材７の対称的な四箇所に穿った左右各一対のガイド穴１８ａ、１８ａ及び１８ｂ
、１８ｂと、当該ガイド穴１８ａ及び１８ｂの夫々に対応するガイドピン１９ａ、１９ａ
及び１９ｂ、１９ｂを設けてなる所謂センタリング機構を構成してなり、更にこれ等の保
持アーム部材１１ａ、１１ａ及び１１ｂ、１１ｂの枢着側の端部には、互いに噛合うセク
ターギヤ部１７ａ及び１７ｂを設けることにより、各ペアリングされた保持アーム部材１
１ａまたは１１ｂにおけるひとつの保持アーム部材１１ａまたは１１ｂを外側または内側
へ向けて動かすことにより、ペアをなす左右何れかの組の保持アーム部材１１ａ及び１１
ｂが夫々同期的に離間または接近することが自在にできるように、各々左右における同期
的な拡縮操作機構として設けられているのである。
【００３５】
なお、上記のペアリングされた保持アーム部材１１ａ、１１ａ及び１１ｂ、１１ｂにお
けるガイドピン１９ａ及び１９ｂには、保持アーム部材１１ａ及び１１ｂの枢軸１２ａ及
び１２ｂを中心とする旋回運動をロック保持するための、所謂ロックネジ手段２０ａ及び
２０ｂを設けることにより、ロック保持後の被検レンズの観察や測定作業における作業性
の向上を果すことができ、その機能と操作要領の詳細は後述することとする。
従って、上記の如く、本発明における保持パッド部１０ａと１０ｂ及び１０ｃと１０ｄは、
保持アーム部材１１ａ及び１１ｂの同期的な拡縮運動とともに同期的に離間操作したり接
近操作することができるので、眼鏡フレームＭＦの大きさや丸レンズＳＬの径の大小等に
応じて機械的にこれ等サイズの異なる被検レンズを確実に保持することができると共に、
その操作を容易に行うことができるので便利であることは、先願発明における機能と変わ
りはない。
【００３６】
また更に、本発明において特徴とするところは、被検レンズを保持アーム部材１１ａ及
び１１ｂによるセンタリング保持状態から、保持した状態のまま、枠型フレーム部材７の
囲み枠内においてＹ軸方向へと、適宜移動操作することが可能なように構成したことを特
徴とするものである。
即ち、上記したように左右各組の保持アーム部材１１ａ及び１１ｂ、並びに四か所のセン
タリングバネ１６ｂによるセンタリング機構と、これ等保持アーム部材１１ａ及び１１ｂ
における各基端に設けた各セクターギヤ１７ａ及び１７ｂの夫々の噛合いにより、左右の
ペアリングされた各組毎の保持アーム部材１１ａ及び１１ｂにおいて得られるところの、
相互に近接または離間する方向への同期的な動きをなす拡縮機能が有効に機能している限
りは、左右の各組ごとに対をなすようペアリングされた保持アーム部材１１ａ及び１１ｂ
において、その一方を枠型フレーム部材７の枠内中心方向（センタリング方向）に移動さ
せると同時に、ペアリングされた他方の保持アーム部材１１ａ及び１１ｂを枠内中心方向
から逆に離れる方向に移動させることは構造的に不可能な構成になっているため、このま
まの状態では、保持アーム部材１１ａ及び１１ｂを、センタリングバネ１６ｂ及びセクタ
ーギヤ１７ａ、１７ｂの作用を無視して、同時にＹ軸に沿う同一方向に移動操作すること
ができない。
従って、この同期的な拡縮機能について、必要に応じ適宜自動的に解消することを可能に
するための回避機能とも言うべき緩衝機構を設ける必要性があり、これを実現して上記し
たようなセンタリング機能並びに同期的拡縮機能に加えて、Ｙ軸方向へのシフト移動操作
自在な機能まで可能にしたのが本発明であり、以下にその特徴的な緩衝機構について図５
を参照しつつ詳述することとする。
【００３７】
図５は図４におけるサークルＡ部分（図３の平面図では右側に位置している部分）の拡
大図であり、この図５においては枠型フレーム部材７における保持アーム部材１１ｂ、１
１ｂ側の一組を取り上げて上記緩衝機構について説明するが、図３の平面図における左側
の保持アーム部材１１ａ、１１ａの組においても同様に構成されているものであので、そ
の説明は省略する。
図４は、丸レンズＳＬを保持パッド部１０ａ、１０ｂ、１０ｃ、１０ｄにてセンタリング
保持した状態のまま、スライド支持軸７ａ側からスライド支持軸７ｂ側へと、操作摘み１
５側にある一方の保持アーム部材１１ａ及び１１ｂを手動で押してシフト移動させた状態
を示すものであるが、この時仮に緩衝機構がない状態であるならば、保持アーム部材１１
ａ及び１１ｂの基端におけるセクターギヤ１７ａ同士及び１７ｂ同士の噛合いにより、ス
ライド支持軸７ａ側からの押し方向の保持アーム部材１１ａ及び１１ｂの移動に伴って、
ペアリグされたスライド支持軸７ｂ側の保持アーム部材１１ａ及び１１ｂは、本来ならば
逆方向に噛合い移動させられることとなり、スムーズなＹ軸方向へのシフト移動操作がで
きないことになるのであるが、このような不都合に対し自動的に対処することができるよ
う緩衝機構を、ペアリングされた保持リンク部材１１ａ及び１１ｂの何れか一方の基端枢
軸部に設けたものである。
【００３８】
即ち、図５に示すように、ペアリングされた保持アーム部材１１ｂ、１１ｂの基端の枢
軸１２ｂ、１２ｂの一方（図示においてはスライド支持軸７ｂ側）の枠型フレーム部材７
に対する取付け穴を、丸穴から僅かに変形した長穴２１ｂに形成して該当する枢軸１２ｂ
との間に遊び（バッファー機能）を持たせておくと共に、その枢軸１２ｂの遊びを常に抑
えて中心位置へと復帰させ保持するための左右両利きのヘアピン形のバネ手段２２ｂと、
当該バネ手段２２ｂの取付け用バネ軸２３ｂ及びバネ手段２２ｂの中心復帰状態を維持す
るために設けた、規制用のボス部２４ｂを夫々組み合わせて緩衝機構を構成してなるもの
である。
なお、図中符号の２６は、枢軸１２ａ、１２ａ及び１２ｂ、１２ｂを枠型フレーム部材７
に取付けるためのＥ型ワッシャ２５を受ける座面として、枠型フレーム部材７に一体的に
成形された凸型座面である。
【００３９】
従って、上記したように、図示の如くペアリングされた一方（スライド支持軸７ａ側）
の保持アーム部材１１ａ及び１１ｂがスライド支持軸７ｂ側へと移動操作された際に、対
応する他方（スライド支持軸７ｂ側）の保持アーム部材１１ａ及び１１ｂの基端における
枢軸１２ｂは、長穴２１ｂの遊び相当分だけバネ手段２２ｂのバネ力を受けて長穴２１ｂ
内を半径方向に移動し、セクターギヤ１７ａ及び１７ｂｂの噛合い状態を一時的にかつ自
動的に回避することができるよう機能するので、ペアリングされている左右の保持アーム
部材１１ａ、１１ａ及び１１ｂ、１１ｂは共に枠型フレーム部材７の囲み枠内において、
適宜所望のシフト量だけスライド支持軸７ｂ側のＹ軸方向に移動することが許容され、自
由に移動操作することが可能になるのである。
そして、上記のスライド支持軸７ｂ側へ向かうＹ軸方向への移動操作力を開放すれば、ペ
アリングされた保持アーム部材１１ａ、１１ａ及び１１ｂ、１１ｂの各組は、センタリン
グバネ１６ｂと夫々のヘアピン形のバネ手段２３ａ及び２３ｂの合成バネ力を受けて、元
のセンタリング保持状態へと自動的に復帰するよう構成されている。
【００４０】
更に、本発明の一実施例においては、前記したように枠型フレーム部材７における左右
に夫々ペアリングされて設けられた保持アーム部材１１ａ、１１ａ及び１１ｂ、１１ｂに
関し、その回動範囲を規制するために設けたガイド穴１８ａ及び１８ｂと、これ等に自由
嵌合されたガイドピン１９ａ及び１９ｂにおいて、その何れか一方（図示実施例の場合は
操作摘み１５側）の保持アーム部材１１ａ及び１１ｂのガイドピン１９ａ及び１９ｂに対
し、夫々締付用のロックネジ手段２０ａ及び２０ｂを設けてあるので、被検レンズをセン
タリング保持した際には特にその必要は少ないが。上記したように被検レンズをセンタリ
ング保持した後で、保持したままの状態でＹ軸方向に適宜移動操作した場合においては、
手動による操作力を解除すると自動的にセンタリングバネ１６ｂ、１６ｂと、ヘアピン形
の中立復帰用のバネ手段２２ａ及び２２ｂのバネ力を受けてセンタリング位置に自動復帰
してしまうので、このようなＹ軸方向への所望の移動位置を保持したい場合には、上記の
ロックネジ手段２０ａ及び２０ｂをねじ回して、一時的に所望とする移動状態をロック保
持することができるよう構成されているものである。
なお、これ等のロックネジ手段２０ａ及び２０ｂは、必ずしも必要とされるものではない
が、ロックネジ手段２０ａ及び２０ｂを設けることにより、被検レンズをＹ軸方向へ適宜
移動させた状態に一時的に保持させることができるので、光学機器装置の操作者にしてみ
れば両手を自由に使える状況が得られるので、操作性の点において極めて有利な光学機器
装置を提供することができて、実用的に便利で優れた機能を発揮できるのである。
【００４１】
以上図３及び図４は、丸レンズをセンタリング保持した状態から、スライド支持軸７ａ
側から７ｂ側へと、センタリングバネ１６ｂ、１６ｂとヘアピン形のバネ手段２２ａ及び
２２ｂのバネ力に抗し、手動でＹ軸方向にスライド移動すべく押し込み操作した場合の状
態を示した説明図であるが、これとは逆に、丸レンズをセンタリング保持した状態から、
スライド支持軸７ｂ側から７ａ側へと、センタリングバネ１６ｂ、１６ｂａとヘアピン形
のバネ手段２２ａ及び２２ｂのバネ力に抗して手動でＹ軸方向にスライド移動すべく手前
に（操作摘み１５側に）引寄せる方向に操作した場合の状態を示す説明図が図６であるが、
この引寄せ方向への操作時においても、本発明にかかる緩衝機構による噛合い回避要領は
、上記図４、図５における長穴２１ａ及び２１ｂと、ヘアピン形のバネ手段２２ａ及び２
２ｂや、当該バネ手段２２ａ及び２２ｂの取付け固定軸２３ａ及び２３ｂと、バネ手段２
２ａ及び２２ｂの中心復帰機能を維持するためのボス部２４ａ及び２４ｂ等による作動要
領と同様であるので詳細な説明は省略すると共に、図５に拡大して説明した緩衝機構につ
いても、枠型フレーム部材７の左右にペアリングされた保持アーム部材１１ａ及び１１ｂ
における基端部において、夫々同様に枢軸１２ａ、１２ｂと長穴２１ａ、２１ｂ、及びヘ
アピン形のバネ手段２２ａ、２２ｂや、固定軸２３ａ、２３ｂ、並びにボス部２４ａ、２
４ｂ等を配備してあるので、その配置に関する詳細説明も省略する。
【００４２】
なお、以上説明した緩衝機構は、図示の実施例形状に限定されるものではなく、同様な
機能を発揮できる構成であれば、ヘアピン形の中立復帰機能を果たすバネ手段２２ａ、２
２ｂの形式や、当該バネ手段２２ａ、２２ｂの中立位置がズレないように維持するための
ボス部２４ａ、２４ｂの形状は単純な矩形や丸型でもよく、また、上記四箇所のセンタリ
ングバネ１６ｂについても、夫々のバネ軸１６ａ周りに配置した事例を図示したが、これ
等センタリングバネ１６ｂの配置は図示実施例に限られるものではなく、例えば各保持ア
ーム部材１１ａ及び１１ｂの各枢軸１２ａ及び１２ｂ周りに夫々配置してもよく、更に図
示してないが中央線上に位置する単一のバネ軸に対して設けた一つのセンタリングバネに
より、各組の保持アーム部材１１ａ及び１１ｂを互いに近接する方向に付勢するようセン
タリング機構を構成することもできるものであり、その構成は同期的なセンタリングが可
能であれば他の適当な構成を採用することができるものである。
【００４３】
以上説明してきたように、図１の実施例においては、先にも述べたように光学機器装置
として照明用光源３と受光側の撮像手段４からなる所謂観察光学系を具備してなるレンズ
チェッカーの実施例として説明したが、光学機器装置として被検レンズに対する照明用光
源３に代えて測定用光源３を設け、受光側における本体２ａに設けた撮像手段４に代えて
、これを被検レンズからの透過光束を受光してその光学データから被検レンズの度数など
の光学特性を演算処理する如き測定光学系（図示せず）を備えた、所謂レンズメーターで
あっても、前記と同様に光学機器装置本体の基台２ｂにおいて、本発明にかかる枠型保持
ユニット１を採用し機器を構成することができることは勿論であり、殊に本発明における
枠型保持ユニット１は、基台２ｂの上面における取付ブラケット５、６に対しＸ軸方向へ
スライド自在に組合された枠型フレーム部材７において、保持パッド部１０ａ、１０ｂ及
び１０ｃ、１０ｄを設けた左右二組の保持アーム部材１１ａ及び１１ｂがその基端におい
て回動自在に枢着され、これ等左右の保持アーム部材１１ａ及び１１ｂにおける相互の間
隔を適宜同期的に拡縮操作自在に構成されている関係上、枠型フレーム部材７の枠内には
、基本的に上記二組のパッド部付保持アーム部材１１ａ及び１１ｂ以外に機械的構成部品
が存在していないため、保持パッド部１０ａ、１０ｂ及び１０ｃ、１０ｄにて眼鏡レンズ
ＭＬまたは丸レンズＳＬが保持されている限り、これ等の被検レンズＭＬまたはＳＬに対
する光源部３からの光束に対する障害物がない（図２、図４参照）ので、光学系に制約を
受けないことを必須条件とする被検レンズの透過光束を使用する測定光学系を備えたレン
ズメーターとして有利な被検レンズの保持機構となるのであり、これ等レンズメーター或
いはレンズチェッカーとしての光学的な観察または測定方法や操作要領及びその機能等に
ついては、一般的なものと基本的に変わりはないので説明を省略する。
【００４４】
だだ、本発明にかかわる被検レンズの枠型保持ユニット１が、例えば着脱機構を具備し
ている場合は、枠型保持ユニット１を交換できることは言うまでもないが、これ以外の特
徴としては、前記したように眼鏡フレームＭＦのテンプルＭＴを上方に立ち上げた状態で
保持する一方、未加工レンズＳＬも同様に機械的に保持することができ、然も枠型フレー
ム部材７のスライド操作により、被検レンズと光軸を最適な光学関係にすべく適宜Ｘ軸方
向にスライド操作することができる他、必要に応じて被検レンズを保持パッド部１０ａ、
１０ｂ及び１０ｃ、１０ｄにより保持したまま枠型フレーム部材７ごと左右方向に適宜傾
動操作自在に構成されている枠型保持ユニット１が具備されている点において、今までの
一般的なレンズチェッカーやレンズメーターと異なる点であるが、本発明における枠型保
持ユニット１自体の特徴として多機能な操作性を有するので、例えば図示実施例（図１）
の場合には、眼鏡フレームＭＦのテンプルＭＴを上方に立ち上げた状態で機械的に保持す
ることができる光学機器装置として説明したが、光学機器装置の構成如何によっては、後
述するように、眼鏡フレームＭＦのテンプルＭＴを下方に垂下させたままの状態で機械的
に保持することもできるものである。
【００４５】
なお、眼鏡フレームＭＦに枠入れされた眼鏡レンズＭＬと未加工の丸レンズＳＬなどの
異なる形態の被検レンズに適応可能なことを特徴とする本発明においては、被検レンズの
保持機構として枠型保持ユニット１に関する一実施例を図示したが、上記したような枠型
フレーム部材７に伴うメリットを逸脱しない範囲において、例えば枠型フレーム部材７の
全体的な形状等に関し図示の実施形状に拘束されるものではなく、また枠型フレーム部材
７のスライド移動と傾動操作及び、着脱機構付きのスライド支持軸７ａの採用等々、その
他必要な変更などは、本発明の本質的なセンタリング機能と同期的な拡縮機能、及びＹ軸
方向への移動操作機能等の多機能性に関する技術思想を逸脱しない範囲で、当業者がその
構成要件の形状変更などを行うことは自由になし得ることであること勿論である。
【００４６】
以上の如く構成された本発明にかかる被検レンズの枠型保持ユニット１における各種の
機能に関し、先ずは添付図面における共用タイプの実施例に基づいて、その操作要領を以
下説明することとする。
まず、眼鏡フレームＭＦに枠入れされた左右の眼鏡レンズＭＬを保持する場合、枠型フレ
ーム部材７の左右における保持アーム部材１１ａ及び１１ｂの各ペアリングされた組ごと
における一方の保持アーム部材１１ａ及び１１ｂを枠型フレーム部材７の枠外方向に向け
て広げるように動かすことにより、夫々の組における保持アーム部材１１ａ及び１１ｂが
セクターギヤ１７ａまたは１７ｂの噛合いにより互いに離間する方向に同期的に操作する
ことができるので、左右の保持パッド部１０ａ、１０ｂ及び１０ｃ、１０ｄを、互いに離
間させたまま眼鏡フレームＭＦをそのテンプルＭＴが上方に立ち上げられた状態でセット
し、保持アーム部材１１ａ及び１１ｂを外側方向に広げる操作を止めることにより、各保
持パッド部１０ａ、１０ｂ及び１０ｃ、１０ｄにおける眼鏡フレーム受部８ａ、８ａ及び
８ａ、８ａにより、図１に示す如く眼鏡フレームＭＬを自動的に挟持することができる。
【００４７】
この時、ノーズパッド受部材１３をノーズパッドＮＰに当接させるようセットすること
により、眼鏡レンズＭＬの視線の方向を光軸に合わせることができて便利であると共に、
眼鏡フレームＭＦに対する保持力は、左右二組の保持アーム部材１１ａ及び１１ｂの夫々
に対称的に配置した四箇所のバネ軸１６ａにおけるセンタリングバネ１６ｂによるバネ付
勢力の下にセンタリング保持されているのである。
この状態で眼鏡フームＭＦをＸ軸方向へ移動操作するときは、枠型フレーム部材７を取付
ブラケット５、６のガイド溝５ａ、６ａに沿ってそのスライド支持軸７ａ、７ｂによる略
水平状態のまま或いは、後述する所望の傾動状態のまま枠型フレーム部材７ごと適宜操作
摘み１５を介して手動で（または自動化することもできる）左右方向に移動操作すること
により、眼鏡フレームＭＦに枠入れされた左右の眼鏡レンズＭＬの隠しマーク設定部を交
互に観察光学系或いは測定光学系の略光軸に一致させるべく切換え操作するだけで済むの
である。
【００４８】
即ち、眼鏡フレームＭＦに対して対称的に配置されている保持アーム部材１１ａ及び１
１ｂによるセンタリング機構により、既に同一平面内におけるＹ軸方向への位置合せをす
る必要がないような眼鏡フレーム形状や、丸レンズの外径サイズ寸法等の場合には、同一
平面内における位置調整は略Ｘ軸方向のみで良いため、そのスライド操作を簡単かつ容易
に、然も精度よく行うことができるので、本被検レンズの枠型保持機構としての枠型保持
ユニット１を光学機器装置に組み込むことにより、光学機器装置としての性能向上と、操
作性の向上を同時に果すことができる優れた効果を発揮できる。
またこのスライド操作の際に眼鏡フレームＭＦのテンプルＭＴは、上方に立ち上げられた
ままの状態にあるが、枠型フレーム部材７ごとガイド溝５ａ、６ａに沿って移動操作して
も一切枠型保持ユニット１を構成する部材に接触することもなく、また上方の受光部４と
もガイド溝５ａ、６ａ内のスライド移動並びに、眼鏡フレームＭＦにおける左右のテンプ
ル幅の範囲での移動となるため干渉することもない。
【００４９】
また、眼鏡フレームＭＦに枠入れされた左右の眼鏡レンズＭＬを略水平に保持した状態
から必要な角度だけ左右方向に傾動操作する場合には、先にも述べたように取付ブラケッ
ト５、６のガイド溝５ａ、６ａに嵌合させた枠型フレーム部材７のスライド支持軸７ａ、
７ｂの締付保持力を操作摘み１５の逆捩り操作により緩めると同時に、この操作摘み１５
を用いて枠型フレーム部材７自体を必要な所望の角度だけ左右に傾動操作することにより
、即ち、スライド支持軸７ａ、７ｂをガイド溝５ａ、６ａの任意の位置において右回転或
いは左回転操作することにより、必要に応じて被検レンズを保持パッド部１０ａ、１０ｂ
及び１０ｃ、１０ｄにより保持したまま枠型フレーム部材７ごと左右方向に適宜傾動操作
することができ、かつその傾動状態のまま任意にＸ軸方向にスライド移動操作することも
できるものであり、これ等の傾動操作に際しても上方に立ち上げられた状態のままの眼鏡
ヅル（テンプル）ＭＴは、先の場合と同様に受光部４に対する障害になることはない。
【００５０】
なお、眼鏡フレームＭＦに枠入れされた眼鏡レンズＭＬを被検レンズとする場合の叙上
の説明においては、本発明にかかる枠型保持ユニット１において被検レンズを機械的に保
持する際に、眼鏡ヅル（テンプル）ＭＴを上方に立ち上げた状態のまま保持する場合を例
示したが、保持の状態については、光学機器装置本体との関係からこれまでの実施例の状
態に限られるものではなく、例えば、図８にその一例を示す如く、本発明に係る枠型保持
機構としての枠型保持ユニット１が、光学機器装置の基部２ｂ側から、本体２ａ側の前面
部における所定の高さ位置に設けられた単一の取付ブラケット２６のガイド溝を介してＸ
軸方向にスライド自在に装着されている場合には、眼鏡フレームＭＦのテンプルＭＴを下
方に垂れ下げた状態で機械的に保持することができ、この場合は光学機器装置の低床化に
関する作用効果は得られないまでも、枠型保持ユニット１による多機能な操作性と作用効
果については、上記した実施例と同様に享受できるものであることは当然であるので、そ
の詳細な説明は省略する。図中符号の２７は、光学機器装置の基部２ｂ側に突設された光
学系の光源側収納部を、符号の２９は、光源側収納部２７に対向して光学機器装置の本体
２ａ側に配置された光学系受光側収納部２８に設けられたディスプレイを示す。
また、取付ブラケット２６と同様な所定の高さ位置を確保して、光学機器装置の基部２ｂ
側に突設された光学系の光源側収納部２７に対して設けた取付ブラケット（図示せず）に
対し、枠型保持ユニット１を装着しても良いことは勿論である。
【００５１】
以上、本発明にかかる枠型保持ユニット１における事例として、眼鏡フレームＭＦに枠
入れされた眼鏡レンズを被検レンズとする場合について説明したが、本発明においては枠
入れされた眼鏡レンズを被検レンズとすることに限られるものではなく、図示実施例から
も明らかなように、上記枠型保持ユニット１は、未加工の丸レンズＳＬを被検レンズとす
ることもできるので、以下その構成と作用などについて簡単に説明することとする。
【００５２】
即ち、未加工の丸レンズＳＬを被検レンズとする場合には、図７に丸レンズＳＬを保持
した光学機器装置全体の外観図、及び図３等に示す枠型保持ユニット１部分に関する説明
図からも明らかなように、被検レンズの丸レンズＳＬは、左右の保持パッド部１０ａと１
０ｂ及び１０ｃと１０ｄにおける対称的な四つの丸レンズ受部９ａにおいて、枠型フレー
ム部材７の囲み枠内中央部の光軸と略一致するよう、保持アーム部材１１ａ及び１１ｂと
センタリングバネ１６ａ及び１６ｂによるセンタリング機能を受けて水平保持されるので
あり、更に、この時の保持パット部１０ａ、１０ｂ及び１０ｃ、１０ｄの同期的な拡縮操
作要領は、前記した眼鏡フレームＭＦの保持アーム部材１１ａ及び１１ｂの操作要領と同
様であるので詳細な説明は省略する。
なお、丸レンズＳＬを被検レンズとするときは、ノーズパッド受部材１３は必要ないので
退避させておくのが好ましい。
また、丸レンズＳＬを保持した際におけるＸ軸方向へのスライド操作要領、並びに左右方
向への傾動操作要領についても、先の眼鏡レンズＭＬを被検レンズとする場合と同様に操
作するので、その詳細な説明を省略する。
【００５３】
次に本発明の特徴とするところの、被検レンズを枠型フレーム部材７の囲み枠内におい
て、光軸に対し前後方向となるＹ軸方向へ移動操作する際の作動要領について説明するこ
ととする。
一般的な光学機器装置において対象としている被検レンズには、眼鏡フレームに枠入れさ
れた眼鏡レンズや、未加工の丸レンズ或いは、加工された単独の形レンズ、及び丸レンズ
であってもその外径サイズが違うもの等があり、これ等眼鏡フレームの形状や被検レンズ
の外周形状においても様々であるので、これ等を機械的に保持するための枠型保持ユニッ
ト１（枠型保持機構）におけるセンタリング機構だけでは、正確に光軸合わせをすること
ができない場合が生ずる恐れがあるため、本発明のようにＸ軸方向へのスライド操作機能
や左右の傾動操作機能及びＹ軸方向への移動操作機能などの、多機能な調整機能が光学機
器装置において必要とされる。
【００５４】
そこで、本発明における枠型保持ユニット１を具備した光学機器装置においては、被検
レンズのセッティングに際し、先ず保持アーム部材１１ａ、１１ａ及び１１ｂ、１１ｂの
各組における一方の（例えば手前のスライド支持軸７ａ側の）保持アーム部材１１ａ及び
１１ｂを、枠型フレーム部材７の中心部から遠ざかる方向へ（手前のスライド支持軸７ａ
側へ）と手動で回動させることにより、ペアリングされた組の他方の保持アーム部材１１
ａ及び１１ｂも同期して中心部から遠ざかる方向へと（スライド支持軸７ｂ側へと）自動
的に回動し、四か所の保持パッド部１０ａ、１０ｂ及び１０ｃ、１０ｄ相互の間隔が広げ
られ、図１に示すような眼鏡フレームの場合は、保持パッド部１０ａ、１０ｂ及び１０ｃ、
１０ｄにおける各眼鏡フレーム受部８ａにより、フレーム付きの眼鏡レンズＭＬを受け止
め可能な状態になる一方、図７等に示すような丸レンズＳＬの場合には、同様に保持パッ
ド部１０ａ、１０ｂ及び１０ｃ、１０ｄにおける各丸レンズ受部９ａにより、丸レンズＳ
Ｌを受け止め可能な状態になり、その人為的な回動操作力を除くと、四か所に配備された
センタリングバネ１６ｂのバネ力を受けて、各保持パッド部１０ａ、１０ｂ及び１０ｃ、
１０ｄが互いに近接し合って、眼鏡フレームに枠入れされた眼鏡レンズＭＬを自動的にセ
ンタリング保持し（図１参照）、またこれと同様に、丸レンズＳＬの場合もセンタリングバ
ネ１６ｂのバネ力の下に、各保持パッド部１０ａ、１０ｂ及び１０ｃ、１０ｄが互いに近
接し合って、丸レンズＳＬを自動的にセンタリング保持する（図７参照）ことができるの
である。
【００５５】
そして、このようにセンタリング保持された被検レンズの略中心部を、観察または測定
する場合は、このままの略水平な保持状態での観察または測定を行えばよいが、眼鏡フレ
ームに枠入れされた左右の眼鏡レンズＭＬを交互に観察または測定を行う必要がある場合
、若しくは、眼鏡レンズＭＬ及び丸レンズＳＬの中心部以外の周縁側付近の部位などを観
察または測定をする必要があるような場合には、操作摘み１５を操作して、これ等の被検
レンズをＸ軸方向に適宜スライド移動操作して所望の部位を観察または測定可能な状態に
おいて、観察または測定を行えばよい。
また、被検レンズの略水平状態に保持したままの状態では、所望とする観察または測定が
難しいような場合には、所定の観察または測定をし易いように、操作摘み１５を適宜右方
向または左方向に枠型フレーム部材７ごと回動操作して、所望とするＸ軸方向のスライド
位置における被検レンズの所定の傾動角度を得て、最適なＸ軸方向へのスライド移動及び
傾動状態の下において被検レンズの観察または測定を行うことになる。
【００５６】
然も、本発明の場合、上記した如きＸ軸方向へのスライド並びに左右の傾動機能に加えて、被検レンズをセンタリング保持した後において、被検レンズを保持したままの状態（この際のＸ軸方向のスライド操作及び傾動操作の何れかの単独操作、またはこれらの複合操作の有無を問わない）において、更にこの被検レンズに対し枠型フレーム部材７の囲み枠内におけるＹ軸方向への移動操作を行うことができることを特徴とするものである。
このＹ軸方向への移動操作は、図３に示すように丸レンズＳＬを前記した如く保持アーム
部材１０ａ、１０ｂ及び１０ｃ、１０ｄ先端の保持パッド部１０ａ、１０ｂ及び１０ｃ、
１０ｄによりセンタリング保持した状態から、ペアリングされた一方の（手前のスライド
支持軸７ａ側の）保持アーム部材１１ａ及び１１ｂを、枠型フレーム部材７の囲み枠内中
心方向に手動で移動操作することにより、ペアリングされた他方の（スライド支持軸７ｂ
側の）保持アーム部材１１ａ及び１１ｂを、前記セッティング操作時とは逆の枠内中心部
から離れる方向に、前記したセクターギヤ１７ａ及び１７ｂの同期的な拡縮機構の機能を
回避するための緩衝機構（代表的な簡単な事例として長穴２１ａ、２１ｂ及びヘアピン形
のバネ手段２２ａ、２２ｂ等の部品）の作用を得て共に移動操作でき（図３参照）、これに
より被検レンズを枠型フレーム部材７の囲み枠内において、Ｙ軸方向へと所定の距離だけ
適宜移動操作し、当該所定の移動位置においてロックネジ手段２０ａ、２０ｂをねじ回し
て、所望とするシフト移動位置においてロック保持した状態で観察または測定を行う。
【００５７】
また、上記とは逆方向にＹ軸に沿う操作移動を行う場合は、保持アーム部材１０ａ、１
０ｂ及び１０ｃ、１０ｄ先端の保持パッド部１０ａ、１０ｂ及び１０ｃ、１０ｄによって
センタリング保持した状態から、ペアリングされた一方の（手前のスライド支持軸７ａ側
の）保持アーム部材１１ａ及び１１ｂを、枠型フレーム部材７の枠内中心部から手前に引
き寄せるように手動で移動操作し、ペアリングされた他方の（スライド支持軸７ｂ側の）
保持アーム部材１１ａ及び１１ｂを、前記セッティング操作時とは逆の枠内中心部方向へ
と、緩衝機構の作用を得て共にＹ時方向手前側へと移動操作すればよく（図６参照）、当該
所望とする移動位置におけるロック保持及び観察または測定については、上記と同様に行
えばよい。
【００５８】
叙上のように、本発明にかかる被検レンズの枠型保持機構１は、単一の保持機構であり
ながら、形態の異なる眼鏡フレームＭＦに枠入れされた眼鏡レンズＭＬ及び未加工の丸レ
ンズＳＬの双方の被検レンズや、単独の形レンズ等の保持機構としての必要十分な機能を
果たすことができることは勿論、これを光学機器装置に組付け採用することにより、単一
の光学機器装置でありながら、種々の被検レンズに対応した汎用性のある光学機器装置（殊
にレンズチェッカー及びレンズメーター）とすることができるので、費用の嵩む光学機器
装置を異なる被検レンズの形態ごとに設ける必要が無くなり、機能的に優れた光学機器装
置を廉価に提供することができ、その経済的メリットは極めて大きいものである。
なお、図示した本発明にかかる枠型保持機構１は、異なる形態の被検レンズの保持用とし
て眼鏡フレーム受部８ａと丸レンズ受部９ａを上下二段に備えた二組の保持パッド部１０
ａ、１０ｂ及び１０ｃ、１０ｄを用いた、形態の異なる被検レンズに対する所謂共用タイ
プの事例と、形態の異なる被検レンズの夫々に個別に対応する所謂専用タイプの何れであ
っても必要に応じて実施すればよい事柄である。
また、枠入れされた眼鏡レンズＭＬを被検レンズとする場合に少なくとも言えることは、
その眼鏡フレームＭＦの基本的な保持形態として、眼鏡フレームＭＦのテンプルＭＴを上
方に向けた状態のまま機械的に保持可能であるか、或いは逆にテンプルＭＴを下方に向け
た状態に機械的に保持するかは、本発明に係る枠型保持ユニット１を採用する限りにおい
て、当業者が必要に応じて構成すればよい事柄であるが、前者の眼鏡フレームテンプルＭ
Ｔの保持状態の場合に言えることは、従来多用されていた基台に突設されていたレンズ載
置台の廃止に伴う光学機器装置の高さ方向の寸法の低床化を果し、装置全体としての小型
コンパクト化を発揮できる効果を奏することができる特徴を有することである。
【産業上の利用可能性】
【００５９】
本発明にかかる被検レンズの枠型保持機構は、囲み枠内に障害物が位置することなく被
検レンズを機械的にセンタリング保持すると共に、形態の異なる被検レンズをＸ軸方向に
スライド操作及び左右に傾動することができ、然もＹ軸方向へ適宜移動操作もできるので
、具体的な光学機器装置としてレンズチェッカー及びレンズメーター等として利用可能で
ある。
【符号の説明】
【００６０】
１      眼鏡レンズ及び丸レンズ等の被検レンズの枠型保持ユニット
５      取付ブラケット
６      取付ブラケット
５ａ    Ｘ軸方向ガイド溝
６ａ    Ｘ軸方向ガイド溝
７      枠型フレーム部材
７ａ    スライド支持軸
７ｂ    スライド支持軸
８ａ    眼鏡フレーム受部
９ａ    丸レンズ受部
１１ａ  保持アーム部材
１１ｂ  保持アーム部材
１５    スライド並びに傾動操作用等の操作摘み
１６ｂ  センタリングバネ
１７ａ  同期用セクターギヤ
１７ｂ  同期用セクターギヤ
２０ａ  ロックネジ手段
２０ｂ  ロックネジ手段
２１ａ  長穴
２１ｂ  長穴
２２ａ  バネ手段
２２ｂ  バネ手段
【図１】
2020101605.tif 000003
【図２】
2020101605.tif 000004
【図３】
2020101605.tif 000005
【図４】
2020101605.tif 000006
【図５】
2020101605.tif 000007
【図６】
2020101605.tif 000008
【図７】
2020101605.tif 000009
【図８】
2020101605.tif 000010
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
眼鏡フレームに枠入れされた眼鏡レンズ及び未加工の丸レンズを被検レンズ
とする共用型の光学機器装置であって、当該光学機器本体の基部の所定の高さ
位置または本体前面部の所定の高さ位置において、Ｘ軸方向のガイド溝を有す
る取付ブラケットを、光源または光軸に対する左右方向となるＸ軸に沿って設
置し、当該取付ブラケットのガイド溝に嵌合するスライド支持軸を長手方向の
中央付近に突設してなる枠型フレーム部材と、眼鏡フレーム受部及び丸レンズ
受部が形成された保持パッド部を有する左右二組の保持アーム部材により、枠
型保持ユニットの骨格を構成し、当該枠型保持ユニットにおける保持アーム部
材は、上記枠型フレーム部材の枠型中心に対して対称的に配置され、左右の各
組毎に保持パッド部が互いに接近するようバネ付勢されてなるセンタリング機
構、及び保持アーム部材の基端におけるセクターギヤの噛み合いを介して、上
記左右の保持パッド部相互の間隔が同期的に拡縮操作自在な拡縮機構として構
成されてなり、当該枠型保持ユニットにより眼鏡フレームに枠入れされた眼鏡
レンズを被検レンズとするときは、そのテンプルを下方に向けたままの状態で
センタリング保持するよう構成すると共に、被検レンズを丸レンズとするとき
は、これを枠内中央にセンタリング保持するよう構成し、これ等何れの被検レ
ンズであっても個別に枠型保持ユニットごと、上記スライド支持軸を介してガ
イド溝に沿いＸ軸方向にスライド操作自在に構成し、更にガイド溝内の任意位
置において右方向または左方向に傾動操作自在に構成されてなり、然も上記保
持アーム部材により被検レンズを保持したまま、センタリング位置から枠型フ
レーム部材の囲み枠内において、光軸に対し前後方向となるＹ軸方向へと移動
操作自在に構成してなる共用型の多機能式枠型保持ユニットを具備したことを
特徴とする光学機器装置。
【請求項２】
眼鏡フレームに枠入れされた眼鏡レンズ及び未加工の丸レンズを被検レンズ
とする共用型の光学機器装置であって、当該光学機器本体の基部において、Ｘ
軸方向のガイド溝を有する取付ブラケットを、光源または光軸に対する左右方
向となるＸ軸に沿って設置し、当該取付ブラケットのガイド溝に嵌合するスラ
イド支持軸を長手方向の中央付近に突設してなる枠型フレーム部材と、眼鏡フ
レーム受部及び丸レンズ受部が形成された保持パッド部を有する左右二組の保
持アーム部材により、枠型保持ユニットの骨格を構成し、当該枠型保持ユニッ
トにおける保持アーム部材は、上記枠型フレーム部材の枠型中心に対して対称
的に配置され、左右の各組毎に保持パッド部が互いに接近するようバネ付勢さ
れてなるセンタリング機構、及び保持アーム部材の基端におけるセクターギヤ
の噛み合いを介して、上記左右の保持パッド部相互の間隔が同期的に拡縮操作
自在な拡縮機構として構成されてなり、当該枠型保持ユニットにより眼鏡フレ
ームに枠入れされた眼鏡レンズを被検レンズとするときは、そのテンプルを上
方に立ち上げたままの状態でセンタリング保持するよう構成すると共に、被検
レンズを丸レンズとするときは、これを枠内中央にセンタリング保持するよう
構成し、これ等何れの被検レンズであっても個別に枠型保持ユニットごと、上
記スライド支持軸を介してガイド溝に沿いＸ軸方向にスライド操作自在に構成
し、更にガイド溝内の任意位置において右方向または左方向に傾動操作自在に
構成されてなり、然も上記保持アーム部材により被検レンズを保持したまま、
センタリング位置から枠型フレーム部材の囲み枠内において、光軸に対し前後
方向となるＹ軸方向へと移動操作自在に構成してなる共用型の多機能式枠型保
持ユニットを具備したことを特徴とする光学機器装置。
【請求項３】
眼鏡フレームに枠入れされた眼鏡レンズまたは未加工の丸レンズを被検レン
ズとする専用型の光学機器装置であって、当該光学機器本体の基部または本体
前面部の所定の高さ位置において、Ｘ軸方向のガイド溝を有する取付ブラケッ
トを、光源または光軸に対する左右方向となるＸ軸に沿って設置し、当該取付
ブラケットのガイド溝に嵌合するスライド支持軸を長手方向中央位置に突設し
てなる枠型フレーム部材と、眼鏡フレーム受部または丸レンズ受部の何れか一
方が形成された保持パッド部を有する左右二組の保持アーム部材により、枠型
保持ユニットの骨格を構成し、当該枠型保持ユニットにおける保持アーム部材
は、上記枠型フレーム部材の枠型中心に対して対称的に配置され、左右の各組
毎に保持パッド部が互いに接近するようバネ付勢されてなるセンタリング機構
、及び保持アーム部材の基端におけるセクターギヤの噛み合いを介して、上記
左右の保持パッド部相互の間隔が同期的に拡縮操作自在な拡縮機構として構成
されてなり、当該枠型保持ユニットにより眼鏡フレームに枠入れされた眼鏡レ
ンズが被検レンズのときは、そのテンプルを上方或いは下方に向けたままの状
態でセンタリング保持するよう構成し、または丸レンズが被検レンズのときは
、これを枠内中央にセンタリング保持するよう各々構成し、これ等何れの被検
レンズであっても個別に枠型保持ユニットごと、上記スライド支持軸を介して
ガイド溝に沿いＸ軸方向にスライド操作自在に構成し、更にガイド溝内の任意
位置において右方向または左方向に傾動操作自在に構成されてなり、然も上記
保持アーム部材により被検レンズを保持したまま、センタリング位置から枠型
フレーム部材の囲み枠内において、光軸に対し前後方向となるＹ軸方向へと、
移動操作自在に構成してなるところの、枠入れされた眼鏡レンズまたは未加工
の丸レンズの何れかに対応する専用型の多機能式枠型保持ユニットを具備した
ことを特徴とする光学機器装置。
【請求項４】
上記請求項１項及び３項における光学機器装置が、眼鏡フレームに枠入れさ
れた眼鏡レンズ及びまたは加工前の丸レンズを被検レンズとし、これ等被検レ
ンズの表面または裏面を観察または検査するための光学機器装置であって、被
検レンズの表面側から照射するための光源と、被検レンズに照射した光束を受
光して撮像するための撮像手段からなる観察光学系を内蔵した光学機器装置で
あることを特徴とするレンズチェッカー。
【請求項５】
上記請求項１項及び３項における光学機器装置が、眼鏡フレームに枠入れさ
れた眼鏡レンズ及びまたは加工前の丸レンズを被検レンズとし、これ等被検レ
ンズの度数等の光学特性を測定するための光学機器装置であって、被検レンズ
の表面側または裏面側から透射するための光源と、被検レンズを透過した透過
光束を受光して光学特性を測定する測定演算手段からなる測定光学系を内蔵し
た光学機器装置であることを特徴とするレンズメーター。
【請求項６】
上記請求項１項乃至５項記載の光学機器装置におけるＹ軸方向への移動操作
と、所定の位置でのロック保持操作を可能にするための特徴的構成として、枠
型保持ユニットの枠型フレーム部材に対照的に配置された左右二組の保持アー
ム部材によるセンタリング機構と、基端のセクターギヤの噛合いによる同期的
な拡縮機構の組合せ構造に関し、被検レンズを保持したまま、保持アーム部材
によるＹ軸方向への移動操作を可能にするために、各組の保持アーム部材にお
ける少なくとも一方の基端における枢軸において、セクターギヤの噛合いを一
時的に回避可能にすべく、枢軸の半径方向への変位を許容する緩衝機構を設け
、被検レンズを保持したまま、センタリング位置から枠型フレーム部材の囲み
枠内においてＹ軸方向へと移動操作自在に構成されてなると共に、これ等保持
アーム部材の各組の少なくとも一方の保持アーム部材には、枠型フレーム部材
に対するロックネジ手段を配備し、保持アーム部材の所望とするＹ軸方向の移
動位置において、ロック保持とその解除を自在に行えるよう構成してなること
を特徴とする請求項１項乃至５項記載の光学機器装置。
【手続補正２】
【補正対象書類名】明細書
【補正対象項目名】０００１
【補正方法】変更
【補正の内容】
【０００１】
本発明は、眼鏡フレームに枠入れされた眼鏡レンズ並びに加工前の丸レンズ
等の被検レンズを機械的にセンタリング保持すると共に、殊に被検レンズを保
持した状態においてＸ軸方向及びＹ軸方向への平面的な移動操作と、光軸に対
する左右方向への傾動操作を自在に行うことを可能に構成したユニット化され
た多機能式枠型保持機構にかかわると共に、当該枠型保持ユニットを具備して
なることを特徴とする光学機器装置に関する。
【手続補正３】
【補正対象書類名】明細書
【補正対象項目名】００１３
【補正方法】変更
【補正の内容】
【００１３】
本発明における主たる特徴は、従来の光学装置におけるような被検レンズの
載置台に依存しないことを特徴とし、眼鏡フレームに枠入れされた眼鏡レンズ
及び未加工の丸レンズを被検レンズとする共用型の光学機器装置であって、当
該光学機器本体の基部の所定の高さ位置または本体前面部の所定の高さ位置に
おいて、Ｘ軸方向のガイド溝を有する取付ブラケットを、光源または光軸に対
する左右方向となるＸ軸に沿って設置し、当該取付ブラケットのガイド溝に嵌
合するスライド支持軸を長手方向の中央付近に突設してなる枠型フレーム部材
と、眼鏡フレーム受部及び丸レンズ受部が形成された保持パッド部を有する左
右二組の保持アーム部材により、枠型保持ユニットの骨格を構成し、当該枠型
保持ユニットにおける保持アーム部材は、上記枠型フレーム部材の枠型中心に
対して対称的に配置され、左右の各組毎に保持パッド部が互いに接近するよう
バネ付勢されてなるセンタリング機構、及び保持アーム部材の基端におけるセ
クターギヤの噛み合いを介して、上記左右の保持パッド部相互の間隔が同期的
に拡縮操作自在な拡縮機構として構成されてなり、当該枠型保持ユニットによ
り眼鏡フレームに枠入れされた眼鏡レンズを被検レンズとするときは、そのテ
ンプルを下方に向けたままの状態でセンタリング保持するよう構成すると共に
、被検レンズを丸レンズとするときは、これを枠内中央にセンタリング保持す
るよう構成し、これ等何れの被検レンズであっても個別に枠型保持ユニットご
と、上記スライド支持軸を介してガイド溝に沿いＸ軸方向にスライド操作自在
に構成し、更にガイド溝内の任意位置において右方向または左方向に傾動操作
自在に構成されてなり、然も上記保持アーム部材により被検レンズを保持した
まま、センタリング位置から枠型フレーム部材の囲み枠内において、光軸に対
し前後方向となるＹ軸方向へと、移動操作自在に構成してなる共用型の多機能
式枠型保持ユニットを具備したことを特徴とするものである。
【手続補正４】
【補正対象書類名】明細書
【補正対象項目名】００１４
【補正方法】変更
【補正の内容】
【００１４】
本発明における次なる特徴は、従来の光学装置におけるような被検レンズの
載置台を廃止することができるよう、眼鏡フレームに枠入れされた眼鏡レンズ
及び未加工の丸レンズを被検レンズとする共用形の光学機器装置であって、当
該光学機器本体の基部において、Ｘ軸方向のガイド溝を有する取付ブラケット
を，光源または光軸に対する左右方向となるＸ軸に沿って設置し、当該取付ブ
ラケットのガイド溝に嵌合するスライド支持軸を長手方向の中央付近に突設し
てなる枠型フレーム部材と、眼鏡フレーム受部及び丸レンズ受部が形成された
保持パッド部を有する左右二組の保持アーム部材により、枠型保持ユニットの
骨格を構成し、当該枠型保持ユニットにおける保持アーム部材は、上記枠型フ
レーム部材の枠型中心に対して対称的に配置され、左右の各組毎に保持パッド
部が互いに接近するようバネ付勢されてなるセンタリング機構、及び保持アー
ム部材の基端におけるセクターギヤの噛み合いを介して、上記左右の保持パッ
ド部相互の間隔が同期的に拡縮操作自在な拡縮機構として構成されてなり、当
該枠型保持ユニットにより眼鏡フレームに枠入れされた眼鏡レンズを被検レン
ズとするときは、そのテンプルを上方に立ち上げたままの状態でセンタリング
保持するよう構成すると共に、被検レンズを丸レンズとするときは、これを枠
内中央にセンタリング保持するよう構成し、これ等何れの被検レンズであって
も個別に枠型保持ユニットごと、上記スライド支持軸を介してガイド溝に沿い
Ｘ軸方向にスライド操作自在に構成し、更にガイド溝内の任意位置において右
方向または左方向に傾動操作自在に構成されてなり、然も上記保持アーム部材
により被検レンズを保持したまま、センタリング位置から枠型フレーム部材の
囲み枠内において、光軸に対し前後方向となるＹ軸方向へと、移動操作自在に
構成してなる共用型の多機能式枠型保持ユニットを具備したことを特徴とする
ものである。
【手続補正５】
【補正対象書類名】明細書
【補正対象項目名】００１５
【補正方法】変更
【補正の内容】
【００１５】
そして、本発明における上記光学機器装置のバリエーションとして、眼鏡フ
レームに枠入れされた眼鏡レンズまたは未加工の丸レンズを被検レンズとする
専用型の光学機器装置であって、当該光学機器本体の基部または本体前面部の
所定の高さ位置において、Ｘ軸方向のガイド溝を有する取付ブラケットを、光
源または光軸に対する左右方向となるＸ軸に沿って設置し、当該取付ブラケッ
トのガイド溝に嵌合するスライド支持軸を長手方向の中央付近に突設してなる
枠型フレーム部材と、眼鏡フレーム受部または丸レンズ受部の何れか一方が形
成された保持パッド部を有する左右二組の保持アーム部材により、枠型保持ユ
ニットの骨格を構成し、当該枠型保持ユニットにおける保持アーム部材は、上
記枠型フレーム部材の枠型中心に対して対称的に配置され、左右の各組毎に保
持パッド部が互いに接近するようバネ付勢されてなるセンタリング機構、及び
保持アーム部材の基端におけるセクターギヤの噛み合いを介して、上記左右の
保持パッド部相互の間隔が同期的に拡縮操作自在な拡縮機構として構成されて
なり、当該枠型保持ユニットにより眼鏡フレームに枠入れされた眼鏡レンズが
被検レンズのときは、そのテンプルを上方或いは下方に向けたままの状態でセ
ンタリング保持するよう構成し、または丸レンズが被検レンズのときは、これ
を枠内中央にセンタリング保持するよう各々構成し、これ等何れの被検レンズ
であっても個別に枠型保持ユニットごと、上記スライド支持軸を介してガイ溝
に沿ってＸ軸方向にライド操作自在に構成し、更にガイド溝内の任意位置にお
いて右方向または左方向に傾動操作自在に構成されてなり、然も上記保持アー
ム部材により被検レンズを保持したまま、センタリング位置から枠型フレーム
部材の囲み枠内において、光軸に対し前後方向となるＹ軸方向へと、移動操作
自在に構成してなるところの、枠入れされた眼鏡レンズまたは未加工の丸レン
ズの何れかに対応する専用型の多機能式枠型保持ユニットを具備したことを特
徴とするものである。
【手続補正６】
【補正対象書類名】明細書
【補正対象項目名】００１８
【補正方法】変更
【補正の内容】
【００１８】
なお、本発明においては、特にその光学機器装置におけるＹ軸方向への移動
操作と所定位置でのロック保持操作を可能にするための特徴的な構成として、
枠型保持ユニットの枠型フレーム部材に対照的に配置された左右二組の保持ア
ーム部材によるセンタリング機構と、基端のセクターギヤの噛合いによる同期
的な拡縮機構の組合せ構造に関し、被検レンズを保持したまま、保持アーム部
材によるＹ軸方向への移動操作を可能にするために、各組の保持アーム部材に
おける少なくとも一方の基端における枢軸において、セクターギヤの噛合いを
一時的に回避可能にすべく、枢軸の半径方向への変位を許容する緩衝機構を設
け、被検レンズを保持したまま、センタリング位置から枠型フレーム部材の囲
み枠内においてＹ軸方向へと移動操作自在に構成されてなると共に、これ等保
持アーム部材の各組の少なくとも一方の保持アーム部材には、枠型フレーム部
材に対するロックネジ手段を配備し、保持アーム部材の所望とするＹ軸方向の
移動位置において、ロック保持とその解除を自在に行えるよう構成してなるこ
とを特徴とするものである。
【手続補正７】
【補正対象書類名】明細書
【補正対象項目名】００２６
【補正方法】変更
【補正の内容】
【００２６】
なお、本発明にかかる光学機器装置としては、光源に対向して配置された受
光側の光学系手段を一体的に備えたレンズチェッカーやレンズメーターの他に
、例えば受光側光学系手段を持たない直接的な目視観察型のレンズチェッカー
形式であってもよく、その光学機器本体の形式に拘束されることはなく、その
光学機器本体の基台において、Ｘ軸方向のガイド溝を有する取付けブラケット
さえあれば、このガイド溝に嵌合してスライドすると共に、着脱機構を具備し
てなるスライド支持軸を組合わせるだけで、容易に本発明における被検レンズ
の枠型保持ユニットを採用し実施することができることは勿論である。
また、以上に述べた本発明において用いる被検レンズの枠型保持ユニットは、
光学機器装置本体に内蔵された光学系の違いにより、例えば被検レンズの観察
光学系を備えた装置に具備することによる具体的な光学機器として、小型コン
パクトで精度と操作性の良い生産性に優れたレンズチェッカーを提供すること
ができ、一方、装置本体内に被検レンズの測定光学系を備えた装置に具備させ
た場合における具体的な光学機器としては、小型コンパクトで測定精度と操作
性の良い生産性に優れたレンズメーターを提供することができるのであり、そ
の光学機器装置としての操作性においても、機械的なセンタリング保持効果と
操作精度が向上されることは勿論、光学機器装置として観察精度及び測定精度
の優れた装置とすることができることは言うまでもない。
然も、装置全体としての構成上も、本発明にかかわる枠型保持ユニットの採用
により、汎用性のある装置として光学器機装置を廉価に構成できるので、経済
性にも実用性にも秀でた多機能な装置を提供できるのである。
【手続補正８】
【補正対象書類名】明細書
【補正対象項目名】００２７
【補正方法】変更
【補正の内容】
【００２７】
【図１】図１は、眼鏡フレームを保持した本発明にかかる、枠型保持ユニットを採用してなるレンズチェッカーまたはレンズメーターの外観図である。
【図２】図２は、本発明にかかわる枠型保持ユニット部分の説明用斜視図。
【図３】図３は、本発明にかかわる枠型保持ユニット部分の説明図でＹ軸方向へ移動した時の説明用平面図。
【図４】図４は、図３に対応する枠型保持ユニット部分の説明用背面図。
【図５】図５は、本発明にかかわる枠型保持ユニットにおけるＹ軸方向へのシフト移動操作を可能にする緩衝機構の代表的な事例を採用した枢軸部分の説明用拡大図。
【図６】図６は、本発明にかかわる枠型保持ユニット部分の説明図で図３と逆のＹ軸方向へ移動したときの説明用平面図。
【図７】図７は、未加工の丸レンズを保持した本発明にかかる、枠型保持ユニットを採用してなるレンズチェッカーまたはレンズメーターの外観図である。
【図８】図８は、眼鏡フレームを図１とは異なる保持状態で保持した場合の本発明にかかる、枠型保持ユニットを採用してなるレンズチェッカーまたはレンズメーターの外観図である。
【手続補正９】
【補正対象書類名】明細書
【補正対象項目名】００３０
【補正方法】変更
【補正の内容】
【００３０】
そしてこの枠型保持ユニット１により図１に示す如く、眼鏡フレームのテン
プルＭＴを上方に立ち上げた状態でセンタリング保持する一方、図７に一例を
示す如く、未加工の丸レンズＳＬの場合も枠型フレーム部材７の囲み枠内中央
の光軸に合わせて夫々機械的にセンタリング保持するよう構成すると共に、光
学機器装置における光軸に対し交叉する平面内において、これ等の眼鏡フレー
ムに枠入れされた眼鏡レンズＭＬ及び未加工の丸レンズＳＬ等の何れの形態の
被検レンズであっても確実に機械的に保持し、然も枠型フレーム部材７のスラ
イド操作により、被検レンズと光軸を最適な光学関係にすべく適宜Ｘ軸方向即
ち、Ｘ軸に沿う方向に（以下同じ）スライド操作することができるよう構成さ
れてなるものである。
なお、眼鏡フレームを保持する場合、例えば図１及び図２に一例を示す如く眼
鏡フレームのノーズパッドＮＰに対するノーズパッド受部材１３を用いること
により、眼鏡レンズＭＬにおける視線と光軸との関係を合わせるように左右の
保持パッド部１０ａ、１０ｂ及び１０ｃ、１０ｄにおける各眼鏡フレーム受部
８ａにより保持することができて便利である一方、図７に示す如く丸レンズＳ
Ｌを枠型フレーム部材７の内側中央に保持する際には、上記ノーズパッド受部
材１３が光軸の妨げにならないようにこれを退避操作自在に構成されているの
が好ましい。
【手続補正１０】
【補正対象書類名】明細書
【補正対象項目名】００３１
【補正方法】変更
【補正の内容】
【００３１】
また上記本発明にかかわる枠型保持ユニット１における特徴的な構成は、図
示実施例においては、略矩形の枠型フレーム部材７が、基台２ｂ上に対向設置
されているＸ軸方向のガイド溝５ａ、６ａを有する取付ブラケット５、６に対
して、そのガイド溝５ａ、６ａと自身の長手方向中央部に突設されたスライド
支持軸７ａ、７ｂが互いに装着嵌合手段となって取付けられ、適度な締付力の
下に嵌合保持され、かつ人為的にＸ軸方向にスライド移動操作自在に組合せて
あり、このスライド支持軸７ａ、７ｂにおける形状は、例えば一例として、枠
型フレーム部材７に対する軸線回りの相対的な回転を規制する面取り部（図示
せず）を有すると共に、少なくとも一方の取付ブラケット５のガイド溝５ａに
対して摺動可能に適当なバネ力の下に突出嵌合する一方、スライド支持軸７ａ
の端部に螺着してなる操作摘み１５をバネ力に抗して軸方向に後退移動させて
ガイド溝５ａとの装着嵌合状態を解除し、枠型保持ユニット１を基台２ｂから
取り外すことができるようにされているのが望ましく、これ等の構成により、
取付ブラケット５、６のガイド溝５ａ、６ａとスライド支持軸７ａ、７ｂとの
間には、枠型フレーム部材７の略水平状態を維持するのに適当なフリクション
保持状態とともに、人為的にスライド移動可能な嵌合状態が得られるように構
成されている。
また、スライド支持軸７ａの基端に設けた操作摘み１５を左方向または右方向
に回動操作することにより、被検レンズを枠型保持ユニット１ごと左右に適宜
傾動操作自在に構成すると共に、かかる操作摘み１５を更に締め込み操作する
ことにより上記フリクションを増大させて、枠型フレーム部材７を所望とする
傾動状態に一時的に保持することができるよう構成されているのである。
【手続補正１１】
【補正対象書類名】明細書
【補正対象項目名】００３４
【補正方法】変更
【補正の内容】
【００３４】
そして本発明にかかわる被検レンズの枠型保持ユニット１においては、その
枠型フレーム部材７に対して左右対照的に二組のペアリングされた保持アーム
部材１１ａ及び１１ｂが夫々枢軸１２ａ及び１２ｂを介して回動自在に枢着さ
れていると共に、これ等の保持アーム部材１１ａ及び１１ｂは、その先端に形
成されている保持パッド部１０ａ、１０ｂ及び１０ｃ、１０ｄがその各組毎に
枠型フレーム部材７の内側中央に向けて互いに接近するよう、例えば、図４に
示す如く、枠型フレーム部材７における枠型中心に対して対称的な四箇所に配
置したバネ軸１６ａと、このバネ軸１６ａに夫々装着されて左右のペアリング
された保持アーム部材１１ａ及び１１ｂを枠型フレーム部材７の枠の内側に向
けて付勢するためのセンタリングバネ１６ｂ、１６ｂ及び、１６ｂ、１６ｂを
設けると共に、上記左右一対の保持アーム部材１１ａ及び１１ｂの可動範囲を
規制するための手段として、枠型フレーム部材７の対称的な四箇所に穿った左
右各一対のガイド穴１８ａ、１８ａ及び１８ｂ、１８ｂと、当該ガイド穴１８
ａ及び１８ｂの夫々に対応するガイドピン１９ａ、１９ａ及び１９ｂ、１９ｂ
を設けてなる所謂センタリング機構を構成してなり、更にこれ等の保持アーム
部材１１ａ、１１ａ及び１１ｂ、１１ｂの枢着側の端部には、互いに噛合うセ
クターギヤ部１７ａ及び１７ｂを設けることにより、各ペアリングされた保持
アーム部材１１ａまたは１１ｂにおけるひとつの保持アーム部材１１ａまたは
１１ｂを外側または内側へ向けて動かすことにより、ペアをなす左右何れかの
組の保持アーム部材１１ａ及び１１ｂが夫々同期的に離間または接近する動作
を自在に操作できるように、各々左右における同期的な拡縮操作機構として設
けられているのである。
【手続補正１２】
【補正対象書類名】明細書
【補正対象項目名】００３６
【補正方法】変更
【補正の内容】
【００３６】
また更に、本発明において特徴とするところは、被検レンズを保持アーム部
材１１ａ及び１１ｂによるセンタリング保持状態から、保持した状態のまま、
枠型フレーム部材７の囲み枠内においてＹ軸方向へと、適宜移動操作すること
が可能なように構成したことを特徴とするものである。
即ち、上記したように左右各組の保持アーム部材１１ａ及び１１ｂ、並びに四
か所のセンタリングバネ１６ｂによるセンタリング機構と、これ等保持アーム
部材１１ａ及び１１ｂにおける各基端に設けた各セクターギヤ１７ａ及び１７
ｂの夫々の噛合いにより、左右のペアリングされた各組ごとの保持アーム部材
１１ａ及び１１ｂにおいて得られるところの、相互に近接または離間する方向
への同期的な動きをなす拡縮機構が有効に機能している限りは、左右の各組ご
とに対をなすようペアリングされた保持アーム部材１１ａ及び１１ｂにおいて
、その一方を枠型フレーム部材７の枠内中心方向（センタリング方向）に移動
させると同時に、ペアリングされた他方の保持アーム部材１１ａ及び１１ｂを
枠内中心方向から逆に離れる方向に移動させることは構造的に不可能な構成に
なっているため、このままの状態では、保持アーム部材１１ａ及び１１ｂを、
センタリングバネ１６ｂ及びセクターギヤ１７ａ、１７ｂの作用を無視して、
同時にＹ軸に沿う同一方向に移動操作することができない。
従って、この同期的な拡縮機構について、必要に応じて自動的に解消すること
を可能にするための回避機能とも言うべき緩衝機構を設ける必要性があり、こ
れを実現して上記したようなセンタリング機能並びに同期的拡縮機能に加えて
、Ｙ軸方向即ち、Ｙ軸に沿う方向への（以下同じ）シフト移動操作自在な機能
まで可能にしたのが本発明であり、以下にその特徴的な緩衝機構について図５
を参照しつつ詳述することとする。
【手続補正１３】
【補正対象書類名】明細書
【補正対象項目名】００４１
【補正方法】変更
【補正の内容】
【００４１】
以上図３及び図４は、丸レンズをセンタリング保持した状態から、スライド
支持軸７ａ側から７ｂ側へと、センタリングバネ１６ｂ、１６ｂとヘアピン形
のバネ手段２２ａ及び２２ｂのバネ力に抗し、手動でＹ軸方向となるＹ軸に沿
ってスライド移動すべく押し込み操作した場合の状態を示した説明図であるが、
これとは逆に、丸レンズをセンタリング保持した状態から、スライド支持軸７
ｂ側から７ａ側へと、センタリングバネ１６ｂ、１６ｂａとヘアピン形のバネ
手段２２ａ及び２２ｂのバネ力に抗して手動でＹ軸方向となるＹ軸に沿ってス
ライド移動すべく手前に（操作摘み１５側に）引寄せる方向に操作した場合の
状態を示す説明図が図６であるが、この引寄せ方向への操作時においても、本
発明にかかわる緩衝機構による噛合い回避要領は、上記図４、図５における長
穴２１ａ及び２１ｂと、ヘアピン形のバネ手段２２ａ及び２２ｂや、当該バネ
手段２２ａ及び２２ｂの取付け固定軸２３ａ及び２３ｂと、バネ手段２２ａ及
び２２ｂの中立復帰機能を維持するためのボス部２４ａ及び２４ｂ等による作
動要領と同様であるので詳細な説明は省略すると共に、図５に拡大して説明し
た緩衝機構についても、枠型フレーム部材７の左右にペアリングされた保持ア
ーム部材１１ａ及び１１ｂにおける基端部において、夫々同様に枢軸１２ａ、
１２ｂと長穴２１ａ、２１ｂ、及びヘアピン形のバネ手段２２ａ、２２ｂや、
固定軸２３ａ、２３ｂ、並びにボス部２４ａ、２４ｂ等を配備してあるので、
その配置に関する詳細説明も省略する。
【手続補正１４】
【補正対象書類名】明細書
【補正対象項目名】００４３
【補正方法】変更
【補正の内容】
【００４３】
以上説明してきたように、図１の実施例においては、先にも述べたように光
学機器装置として照明用光源３と受光側の撮像手段４からなる所謂観察光学系
を具備してなるレンズチェッカーの実施例として説明したが、光学機器装置と
して被検レンズに対する照明用光源３に代えて測定用光源３を設け、受光側に
おける本体２ａに設けた撮像手段４に代えて、これを被検レンズからの透過光
束を受光してその光学データから被検レンズの度数などの光学特性を演算処理
する如き測定光学系（図示せず）を備えた、所謂レンズメーターであっても、
前記と同様に光学機器装置本体の基台２ｂにおいて、本発明にかかわる枠型保
持ユニット１を採用し機器を構成することができることは勿論であり、殊に本
発明における枠型保持ユニット１は、基台２ｂの上面における取付ブラケット
５、６に対しＸ軸方向となるＸ軸に沿う方向へスライド自在に組合された枠型
フレーム部材７において、保持パッド部１０ａ、１０ｂ及び１０ｃ、１０ｄを
設けた左右二組の保持アーム部材１１ａ及び１１ｂがその基端において回動自
在に枢着され、これ等左右の保持アーム部材１１ａ及び１１ｂにおける相互の
間隔を適宜同期的に拡縮操作自在に構成されている関係上、枠型フレーム部材
７の枠内には、基本的に上記二組のパッド部付保持アーム部材１１ａ及び１１
ｂ以外に機械的構成部品が存在していないため、保持パッド部１０ａ、１０ｂ
及び１０ｃ、１０ｄにて眼鏡レンズＭＬまたは丸レンズＳＬが保持されている
限り、これ等の被検レンズＭＬまたはＳＬに対する光源部３からの光束に対す
る障害物がない（図２、図４参照）ので、光学系に制約を受けないことを必須
条件とする被検レンズの透過光束を使用する測定光学系を備えたレンズメータ
ーとして有利な被検レンズの保持機構となるのであり、これ等レンズメーター
或いはレンズチェッカーとしての光学的な観察または測定方法や操作要領及び
その機能等については、一般的なものと基本的に変わりはないので説明を省略
する。
【手続補正１５】
【補正対象書類名】明細書
【補正対象項目名】００４４
【補正方法】変更
【補正の内容】
【００４４】
ただ、本発明にかかわる被検レンズの枠型保持ユニット１が、例えば着脱機
構を具備している場合は、枠型保持ユニット１を交換できることは言うまでも
ないが、これ以外の特徴としては、前記したように眼鏡フレームＭＦのテンプ
ルＭＴを上方に立ち上げた状態で保持する一方、未加工レンズＳＬも同様に機
械的に保持することができ、然も枠型フレーム部材７のスライド操作により、
被検レンズと光軸を最適な光学関係にすべく適宜Ｘ軸方向にスライド操作する
ことができる他、必要に応じて被検レンズを保持パッド部１０ａ、１０ｂ及び
１０ｃ、１０ｄにより保持したまま枠型フレーム部材７ごと左右方向に適宜傾
動操作自在に構成されている枠型保持ユニット１が具備されている点において
、今までの一般的なレンズチェッカーやレンズメーターと異なる点であるが、
本発明における枠型保持ユニット１自体の特徴として多種類の機能と操作性を
有するので、例えば図示実施例（図１）の場合には、眼鏡フレームＭＦのテン
プルＭＴを上方に立ち上げた状態で機械的に保持することができる光学機器装
置として説明したが、光学機器装置の構成如何によっては、後述するように、
眼鏡フレームＭＦのテンプルＭＴを下方に垂下させたままの状態で機械的に保
持することもできるものである。
【手続補正１６】
【補正対象書類名】明細書
【補正対象項目名】００４６
【補正方法】変更
【補正の内容】
【００４６】
以上の如く構成された本発明にかかわる被検レンズの枠型保持ユニット１に
おける各種の機能に関し、先ずは添付図面における共用タイプの実施例に基づ
いて、その操作要領を以下説明することとする。
まず、眼鏡フレームＭＦに枠入れされた左右の眼鏡レンズＭＬを保持する場合
、枠型フレーム部材７の左右における保持アーム部材１１ａ及び１１ｂの各ペ
アリングされた組ごとにおける一方の保持アーム部材１１ａ及び１１ｂを枠型
フレーム部材７の枠の外側方向に向けて広げるように動かすことにより、夫々
の組における保持アーム部材１１ａ及び１１ｂがセクターギヤ１７ａまたは１
７ｂの噛合いにより互いに離間する方向に同期的に操作することができるので
、左右の保持パッド部１０ａ、１０ｂ及び１０ｃ、１０ｄを、互いに離間させ
たまま眼鏡フレームＭＦをそのテンプルＭＴが上方に立ち上げられた状態でセ
ットし、保持アーム部材１１ａ及び１１ｂを外側方向に広げる操作力及び操作
を止めることにより、各保持パッド部１０ａ、１０ｂ及び１０ｃ、１０ｄにお
ける眼鏡フレーム受部８ａ、８ａ及び８ａ、８ａにより、図１に示す如く眼鏡
フレームＭＬを自動的に挟持することができる。
【手続補正１７】
【補正対象書類名】明細書
【補正対象項目名】００５０
【補正方法】変更
【補正の内容】
【００５０】
なお、眼鏡フレームＭＦに枠入れされた眼鏡レンズＭＬを被検レンズとする
場合の叙上の説明においては、本発明にかかわる枠型保持ユニット１において
被検レンズを機械的に保持する際に、眼鏡ヅル（テンプル）ＭＴを上方に立ち
上げた状態のまま保持する場合を例示したが、保持の状態については、光学機
器装置本体との関係からこれまでの実施例の状態に限られるものではなく、例
えば、図８にその一例を示す如く、本発明にかかわる枠型保持機構としての枠
型保持ユニット１が、光学機器装置の基部２ｂ側から、本体２ａ側の前面部に
おける所定の高さ位置に設けられた単一の取付ブラケット２６のガイド溝を介
してＸ軸方向にスライド自在に装着されている場合には、眼鏡フレームＭＦの
テンプルＭＴを下方に垂れ下げた状態で機械的に保持することができ、この場
合は光学機器装置の低床化に関する作用効果は得られないまでも、枠型保持ユ
ニット１による多機能な操作性と作用効果については、上記した実施例と同様
に享受できるものであることは当然であるので、その詳細な説明は省略する。
図中符号の２７は、光学機器装置の基部２ｂ側に突設された光学系の光源側収
納部を、符号の２９は、光源側収納部２７に対向して光学機器装置の本体２ａ
側に配置された光学系受光側収納部２８に設けられたディスプレイを示す。
また、取付ブラケット２６と同様な所定の高さ位置を確保して、光学機器装置
の基部２ｂ側に突設された光学系の光源側収納部２７に対して設けた取付ブラ
ケット（図示せず）に対し、枠型保持ユニット１を装着しても良いことは勿論
である。
【手続補正１８】
【補正対象書類名】明細書
【補正対象項目名】００５１
【補正方法】変更
【補正の内容】
【００５１】
以上、本発明にかかわる枠型保持ユニット１の事例として、眼鏡フレームＭ
Ｆに枠入れされた眼鏡レンズを被検レンズとする場合について説明したが、本
発明においては枠入れされた眼鏡レンズを被検レンズとすることに限られるも
のではなく、図示実施例からも明らかなように、上記枠型保持ユニット１は、
未加工の丸レンズＳＬを被検レンズとすることもできるので、以下その構成と
作用などについて簡単に説明することとする。
【手続補正１９】
【補正対象書類名】明細書
【補正対象項目名】００５８
【補正方法】変更
【補正の内容】
【００５８】
叙上のように、本発明にかかわる被検レンズの枠型保持機構１は、単一の保
持機構でありながら、形態の異なる眼鏡フレームＭＦに枠入れされた眼鏡レン
ズＭＬ及び未加工の丸レンズＳＬの双方の被検レンズや、単独の形レンズ等の
保持機構としての必要十分な機能を果たすことができることは勿論、これを光
学機器装置に組付け採用することにより、単一の光学機器装置でありながら、
種々の被検レンズに対応した汎用性のある光学機器装置（殊にレンズチェッカ
ー及びレンズメーター）とすることができるので、費用の嵩む光学機器装置を
異なる被検レンズの形態ごとに設ける必要が無くなり、機能的に優れた光学機
器装置を廉価に提供することができ、その経済的メリットは極めて大きいもの
である。
なお、図示した本発明にかかわる枠型保持機構１は、異なる形態の被検レンズ
の保持用として眼鏡フレーム受部８ａと丸レンズ受部９ａを上下二段に備えた
二組の保持パッド部１０ａ、１０ｂ及び１０ｃ、１０ｄを用いた、形態の異な
る被検レンズに対する所謂共用タイプの事例とするか、或いは形態の異なる被
検レンズの夫々に個別に対応する所謂専用タイプの何れであってもよく、その
選択は必要に応じて実施すればよい事柄である。
また、枠入れされた眼鏡レンズＭＬを被検レンズとする場合に少なくとも言え
ることは、その眼鏡フレームＭＦの基本的な保持形態として、眼鏡フレームＭ
ＦのテンプルＭＴを上方に向けた状態のまま機械的に保持可能であるか、或い
は逆にテンプルＭＴを下方に向けた状態に機械的に保持するかは、本発明に係
る枠型保持ユニット１を採用する限りにおいて、当業者が必要に応じて構成す
ればよい事柄であるが、前者の眼鏡フレームテンプルＭＴの保持状態の場合に
言えることは、従来多用されていた基台に突設されていた如きレンズ載置台の
廃止に伴って、光学機器装置の高さ方向の寸法の低床化を果し、装置全体とし
ての小型コンパクト化を発揮できる効果を奏することができる特徴を有するこ
とである。
【手続補正２０】
【補正対象書類名】明細書
【補正対象項目名】００５９
【補正方法】変更
【補正の内容】
【００５９】
本発明にかかわる被検レンズの枠型保持機構は、囲み枠内に障害物が位置す
ることなく被検レンズを機械的にセンタリング保持すると共に、形態の異なる
被検レンズをＸ軸方向となるＸ軸に沿う方向にスライド操作及び左右に傾動す
ることができ、然もＹ軸方向となるＹ軸に沿う方向へ適宜移動操作もできるの
で、具体的な光学機器装置としてレンズチェッカー及びレンズメーター等とし
て利用可能である。